(57)【特許請求の範囲】
【請求項１】
データ送信方法であって：
リソースエレメント（ＲＥ）構成を取得するステップであって、前記ＲＥ構成により示されるＲＥは、チャネル状態情報参照信号（ＣＳＩ−ＲＳ）を送信するために利用可能な前記ＲＥのサブセットであり、かつその上にデータシンボルをマッピングすることができる前記ＲＥである、ステップ；及び
前記ＲＥ構成に従って、前記ＲＥ構成により示される前記ＲＥにおいて、基地局により送信される前記データシンボルを受信するステップ；
を含み、
前記ＲＥ構成を取得するステップは：
上位レイヤのシグナリングであって、複数のＲＥ構成及び対応するインデックスを搬送し、かつ前記基地局により送信される、上位レイヤのシグナリング、を受信するステップ；
ダイナミックシグナリングであって、前記ＲＥ構成と対応する第１のインデックスを搬送し、かつ前記基地局により送信される、ダイナミックシグナリング、を受信するステップ；及び
前記第１のインデックスに従い、前記複数のＲＥ構成を含むＲＥ構成のセットから、前記ＲＥ構成を取得するステップ；を含む、
データ送信方法。
【請求項２】
前記ＲＥ構成により示される前記ＲＥにおいて、前記基地局により送信される前記データシンボルを受信するステップは：
少なくとも１つの第１のアクセスポイント（ＡＰ）を介して、前記ＲＥ構成により示される前記ＲＥにおいて、前記基地局により送信される前記データシンボルを受信するステップ；を含み、かつ
前記方法はさらに：
少なくとも１つの第２のＡＰを介して、前記ＲＥ構成により示される前記ＲＥにおいて、前記基地局により送信される前記ＣＳＩ−ＲＳを受信するステップであって、前記少なくとも１つの第１のＡＰ及び前記少なくとも１つの第２のＡＰは、マルチポイント協調送受信システムにおける複数の協調されたＡＰである、ステップ；及び
前記ＣＳＩ−ＲＳに従って、前記少なくとも１つのＡＰにより、前記少なくとも１つの第２のＡＰに対して引き起こされる干渉を測定するステップ；を含む、
請求項１に記載の方法。
【請求項３】
前記ＲＥ構成を取得するステップは：
前記基地局により送信されるダイナミックシグナリングに従って、現在送信されているサブフレームの中で、第２のＲＥ構成に対応するインデックスを認識するステップ；
前記現在送信されているサブフレームの中の前記インデックスに対応する前記第２のＲＥ構成により示されるＲＥが、前記ＣＳＩ−ＲＳを送信するための前記ＲＥであるが、その上に前記データシンボルをマッピングすることができない前記ＲＥであることを認識するステップ；及び
前記現在送信されているサブフレームにおける前記第２のＲＥ構成に従って、その上に前記データシンボルをマッピングすることができる前記ＲＥを示す前記ＲＥ構成を取得するステップ；を含む、
請求項１又は２に記載の方法。
【請求項４】
前記ＣＳＩ−ＲＳは、電力がゼロであるＣＳＩ−ＲＳである、
請求項１から３のいずれか１項に記載の方法。
【請求項５】
前記上位レイヤのシグナリングは、前記基地局により半静的に送信される、
請求項１から４のいずれか１項に記載の方法。
【請求項６】
データ送信方法であって：
ユーザ装置（ＵＥ）に対してリソースエレメント（ＲＥ）構成を通知するステップであって、前記ＲＥ構成により示されるＲＥは、チャネル状態情報参照信号（ＣＳＩ−ＲＳ）を送信するために利用可能な前記ＲＥのサブセットであり、かつその上にデータシンボルをマッピングすることができる前記ＲＥである、ステップ；及び
前記ＲＥ構成に従って、前記データシンボルを、前記ＲＥ構成により示される前記ＲＥにおいて、前記ＵＥに送信するステップ；
を含み、
前記ＵＥに対して前記ＲＥ構成を通知するステップは：
複数のＲＥ構成及び対応するインデックスを搬送する上位レイヤのシグナリングを前記ＵＥに送信するステップ；及び
前記ＲＥ構成に対応する第１のインデックスを搬送するダイナミックシグナリングを前記ＵＥに送信するステップであって、前記ＲＥ構成は、前記複数のＲＥ構成を含むＲＥ構成のセットに属する、ステップ；を含む、
方法。
【請求項７】
前記データシンボルを、前記ＲＥ構成により示される前記ＲＥにおいて、前記ＵＥに送信するステップは：
少なくとも１つの第１のアクセスポイント（ＡＰ）を介して、前記ＲＥ構成により示される前記ＲＥにおいて、前記データシンボルを前記ＵＥに送信するステップ；を含み、かつ
前記方法は、さらに：
少なくとも１つの第２のＡＰを介して、前記ＲＥ構成により示される前記ＲＥにおいて、前記ＣＳＩ−ＲＳを前記ＵＥに送信するステップであって、前記少なくとも１つの第１のＡＰ及び前記少なくとも１つの第２のＡＰは、マルチポイント協調送受信システムにおける複数の協調されたＡＰである、ステップ；を含む、
請求項６に記載の方法。
【請求項８】
ＵＥに対して前記ＲＥ構成を通知するステップは：
前記ＵＥに対して前記ＲＥ構成を通知するために前記ＵＥにダイナミックシグナリングを送信するステップであって、前記ダイナミックシグナリングは前記ＵＥが、現在送信されているサブフレームの中の第２のＲＥ構成に対応するインデックスを認識するためのシグナリングであり、かつ前記現在送信されているサブフレームの中の前記インデックスに対応する前記第２のＲＥ構成により示されるＲＥは、前記ＣＳＩ−ＲＳを送信するための前記ＲＥであるが、その上に前記データシンボルをマッピングすることのできない前記ＲＥであることを認識するためのシグナリングであり；かつ前記ＵＥが、前記現在送信されているサブフレームの中の前記第２のＲＥ構成に従って、その上に前記データシンボルをマッピングすることができる前記ＲＥを示す前記ＲＥ構成を取得するためのシグナリングであるステップ；を含む
請求項６又は７に記載の方法。
【請求項９】
前記ＣＳＩ−ＲＳは、電力がゼロであるＣＳＩ−ＲＳである、
請求項６から８のいずれか１項に記載の方法。
【請求項１０】
前記上位レイヤのシグナリングは、基地局により半静的に送信される、
請求項６から９のいずれか１項に記載の方法。
【請求項１１】
ユーザ装置であって：
リソースエレメント（ＲＥ）構成を取得するように構成される取得部であって、前記ＲＥ構成により示されるＲＥは、チャネル状態情報参照信号（ＣＳＩ−ＲＳ）を送信するために利用可能な前記ＲＥのサブセットであり、かつその上にデータシンボルをマッピングすることができる前記ＲＥである、取得部；及び
前記ＲＥ構成に従って、前記ＲＥ構成により示される前記ＲＥにおいて、基地局により送信される前記データシンボルを受信するように構成される受信部；を備え、
前記取得部は、上位レイヤのシグナリングであって、複数のＲＥ構成及び対応するインデックスを搬送し、かつ前記基地局により送信される、上位レイヤのシグナリングを受信し；ダイナミックシグナリングであって、前記ＲＥ構成に対応する第１のインデックスを搬送し、かつ前記基地局により送信される、ダイナミックシグナリングを受信し；かつ前記第１のインデックスに従って、前記複数のＲＥ構成を含むＲＥ構成のセットから前記ＲＥ構成を取得するように構成される、
ユーザ装置。
【請求項１２】
前記ユーザ装置はさらに、測定部を含み、
前記受信部は、少なくとも１つの第１のアクセスポイント（ＡＰ）を介して、前記ＲＥ構成により示される前記ＲＥにおいて、前記基地局により送信される前記データシンボルを受信するように構成され；
前記受信部は、さらに、少なくとも１つの第２のＡＰを介して、前記ＲＥ構成により示される前記ＲＥにおいて、前記基地局により送信される前記ＣＳＩ−ＲＳを受信するように構成され、前記少なくとも１つの第１のＡＰ及び前記少なくとも１つの第２のＡＰは、マルチポイント協調送受信システムにおける複数の協調されたＡＰであり；かつ
前記測定部は、前記ＣＳＩ−ＲＳに従って、前記少なくとも１つの第１のＡＰにより、前記少なくとも１つの第２のＡＰに対して引き起こされる干渉を測定するように構成される、
請求項１１に記載のユーザ装置。
【請求項１３】
前記取得部は、以下のように前記ＲＥ構成を取得するように構成される：
前記基地局により送信されるダイナミックシグナリングに従って、現在送信されているサブフレームの中で、第２のＲＥ構成に対応するインデックスを認識し；
前記現在送信されているサブフレームの中の前記インデックスに対応する前記第２のＲＥ構成により示されるＲＥが、前記ＣＳＩ−ＲＳを送信するための前記ＲＥであるが、その上に前記データシンボルをマッピングすることができない前記ＲＥであることを認識し；かつ
前記現在送信されているサブフレームにおける前記第２のＲＥ構成に従って、その上に前記データシンボルをマッピングすることができる前記ＲＥを示す前記ＲＥ構成を取得する；
請求項１１又は１２に記載のユーザ装置。
【請求項１４】
前記ＣＳＩ−ＲＳは電力がゼロであるＣＳＩ−ＲＳである、
請求項１１から１３のいずれか１項に記載のユーザ装置。
【請求項１５】
前記上位レイヤのシグナリングは、前記基地局により半静的に送信される、
請求項１１から１４のいずれか１項に記載のユーザ装置。
【請求項１６】
基地局であって：
ユーザ装置（ＵＥ）に対してリソースエレメント（ＲＥ）構成を通知するように構成される通知部であって、前記ＲＥ構成により示されるＲＥは、チャネル状態情報参照信号（ＣＳＩ−ＲＳ）を送信するために利用可能な前記ＲＥのサブセットであり、かつその上にデータシンボルをマッピングすることができる前記ＲＥである、通知部；及び
前記ＲＥ構成に従って、前記データシンボルを、前記ＲＥ構成により示される前記ＲＥにおいて、前記ＵＥに送信するように構成される送信部；を備え、
前記通知部は、複数のＲＥ構成及び対応するインデックスを搬送する上位レイヤのシグナリングを前記ＵＥに送信し；前記ＲＥ構成に対応する第１のインデックスを搬送するダイナミックシグナリングを前記ＵＥに送信するように構成され、前記ＲＥ構成は、前記複数のＲＥ構成を含むＲＥ構成のセットに属する、
基地局。
【請求項１７】
前記送信部は、少なくとも１つの第１のアクセスポイント（ＡＰ）を介して、前記ＲＥ構成により示される前記ＲＥにおいて、前記データシンボルを前記ＵＥに送信するように構成され；かつ
前記送信部は、さらに、少なくとも１つの第２のＡＰを介して、前記ＲＥ構成により示される前記ＲＥにおいて、前記ＣＳＩ−ＲＳを前記ＵＥに送信するように構成され、前記少なくとも１つの第１のＡＰ及び前記少なくとも１つの第２のＡＰは、マルチポイント協調送受信システムにおける複数の協調されたＡＰである、
請求項１６に記載の基地局。
【請求項１８】
前記通知部は、以下のように、前記ＵＥに対して前記ＲＥ構成を通知するように構成される：
前記ＵＥに対して前記ＲＥ構成を通知するために前記ＵＥにダイナミックシグナリングを送信し、前記ダイナミックシグナリングは前記ＵＥが、現在送信されているサブフレームの中の第２のＲＥ構成に対応するインデックスを認識するためのシグナリングであり、かつ前記現在送信されているサブフレームの中の前記インデックスに対応する前記第２のＲＥ構成により示されるＲＥは、前記ＣＳＩ−ＲＳを送信するための前記ＲＥであるが、その上に前記データシンボルをマッピングすることのできない前記ＲＥであることを認識するためのシグナリングであり；かつ前記ＵＥが、前記現在送信されているサブフレームの中の前記第２のＲＥ構成に従って、その上に前記データシンボルをマッピングすることができる前記ＲＥを示す前記ＲＥ構成を取得するためのシグナリングである、
請求項１６又は１７に記載の基地局。
【請求項１９】
前記ＣＳＩ−ＲＳは、電力がゼロであるＣＳＩ−ＲＳである、
請求項１６から１８のいずれか１項に記載の基地局。
【請求項２０】
前記上位レイヤのシグナリングは、前記基地局により半静的に送信される、
請求項１６から１９のいずれか１項に記載の基地局。
【請求項２１】
請求項１１から１５のいずれか１項に記載のユーザ装置と、請求項１６から２０のいずれか１項に記載の基地局とを含むシステム。
【発明の詳細な説明】
【技術分野】
【０００１】
本出願は、２０１２年２月２０日に中国特許庁に出願された「ＤＡＴＡ  ＴＲＡＮＳＭＩＳＳＩＯＮ  ＭＥＴＨＯＤ，  ＵＳＥＲ  ＥＱＵＩＰＭＥＮＴ，  ＡＮＤ  ＢＡＳＥ  ＳＴＡＴＩＯＮ」と題する中国特許出願２０１２１００３８４８３．５の優先権を主張し、参照することにより、その全内容をここに援用する。
【０００２】
本出願は、通信分野に関連し、特に、データ通信方法、ユーザ装置、及び基地局装置に関連する。
【背景技術】
【０００３】
無線通信システムにおいて、ＵＥ（Ｕｓｅｒ  Ｅｑｕｉｐｍｅｎｔ、ユーザ装置）が下りリンクのチャネルを測定し、かつ下りリンクのＣＳＩ（Ｃｈａｎｎｅｌ  Ｓｔａｔｅ  Ｉｎｆｏｒｍａｔｉｏｎ、チャネル状態情報）を取得するために、基地局は、ＲＳ（Ｒｅｆｅｒｅｎｃｅ  ｓｉｇｎａｌ、参照信号）をカバレッジエリア内のＵＥに送信する必要がある。例えば、３ＧＰＰ（第３世代パートナーシッププロジェクト、ｔｈｅ  ３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ、ロングターム・エボルーション）Ｒ（Ｒｅｌｅａｓｅ、リリース）１０プロトコルにおいて、ＵＥが下りリンクのチャネルを測定できるようにするために、基地局は、ゼロでない電力のＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  ｓｉｇｎａｌ、チャネル状態情報リファレンス信号）を、カバレッジエリア内のＵＥに送信する必要がある。また、基地局は、隣接セルのゼロでない電力のＣＳＩ−ＲＳに対する干渉を回避するために、電力がゼロであるＣＳＩ−ＲＳを送信してもよい。既存のＬＴＥ  Ｒ１０プロトコルにおいて、基地局は、ＲＥ（Ｒｅｓｏｕｒｃｅ  Ｅｌｅｍｅｎｔ、リソースエレメント）において、ゼロでない電力のＣＳＩ−ＲＳ及び電力がゼロであるＣＳＩ−ＲＳをＵＥに送信する。ゼロでない電力のＣＳＩ−ＲＳ及び電力がゼロであるＣＳＩ−ＲＳにより占有されるＲＥの数が増加する場合、複数のデータシンボルを伝送するためのＲＥの数は減少し、このことは、複数のＲＥの低い利用効率に帰着する。
【発明の概要】
【発明が解決しようとする課題】
【０００４】
本発明の複数の実施例は、ＲＥの利用効率を改善する、データ伝送方法、ユーザ装置、及び基地局装置を提供する。
【課題を解決するための手段】
【０００５】
第一の態様によれば、リソースエレメントＲＥ構成を取得するステップであって、前記ＲＥ構成により示されるＲＥは、チャネル状態情報参照信号ＣＳＩ−ＲＳを送信するために利用可能な前記ＲＥのサブセットであり、かつその上にデータシンボルをマッピングすることができる前記ＲＥである、ステップ；及び前記ＲＥ構成に従って、前記ＲＥ構成により示される前記ＲＥにおいて、データシンボルを受信するステップ；を備える、データ送信方法が提供される。
【０００６】
第１の側面の第１の可能な実施方法において、前記ＲＥ構成を取得するステップは：基地局により送信される動的シグナリングに従って、現在送信されているサブフレームの中で、第２のＲＥ構成に対応するインデックスを認識するステップ；前記現在送信されているサブフレームの中の前記インデックスに対応する前記第２のＲＥ構成により示されるＲＥが、その上に前記データシンボルをマッピングすることができない前記ＲＥ以外の、前記ＣＳＩ−ＲＳを送信するための前記ＲＥであることを認識するステップ；及び現在送信されているサブフレームにおける前記第２のＲＥ構成に従って、その上に前記データシンボルをマップすることができる前記ＲＥを示す前記ＲＥ構成を取得するステップ；を含む。
【０００７】
前記第１の態様又は前記第１の態様の前記第１の可能な実施方法に関しての、第２の可能な実施方法において、前記ＲＥ構成により示される前記ＲＥにおいて基地局により送信される前記データシンボルを受信するステップは：１つ以上の第１のアクセスポイントＡＰを介して、前記ＲＥ構成により示される前記ＲＥにおいて前記基地局により送信される前記データシンボルを受信するステップ；を含み、かつ前記方法はさらに：１つ以上の第２のＡＰを介して、前記ＲＥ構成により示される前記ＲＥにおいて、前記基地局から送信される前記ＣＳＩ−ＲＳを受信するステップであって、前記１つ以上の第１のＡＰ及び前記１つ以上の第２のＡＰは、マルチポイント協調送受信システムにおける複数の協調されたＡＰである、ステップ；及び前記ＣＳＩ−ＲＳに従って、前記１つ以上のＡＰにより、前記１つ以上の第２のＡＰに対して引き起こされる干渉を測定するステップ；を含む。
【０００８】
第１の側面又は第１の側面の可能な実施方法のいずれか１つに関しての、第３の可能な実施方法において、前記ＲＥ構成を取得するステップは：上位レイヤのシグナリングであって、前記ＲＥ構成を送信し、かつ前記基地局により送信される、上位レイヤのシグナリング、を受信し、かつ前記上位レイヤシグナリングに従って、前記ＲＥ構成を取得するステップ；又は事前に定義された前記ＲＥ構成を取得するステップ；を含む。
【０００９】
第１の側面又は第１の側面の可能な実施方法のいずれか１つに関しての、第４の可能な実施方法に関して、前記ＲＥ構成を取得するステップは：上位レイヤのシグナリングであって、複数のＲＥ構成及び対応する複数のインデックスを送信し、かつ前記基地局により送信される、上位レイヤのシグナリング、を受信するステップ；ダイナミックシグナリングであって、前記複数のＲＥ構成と対応する第１のインデックスを送信し、かつ前記基地局により送信される、ダイナミックシグナリング、を受信するステップ；及び前記第１のインデックスに従い、前記複数のＲＥ構成を含むＲＥ構成のセットから、前記ＲＥ構成を取得するステップ；を含む。
【００１０】
第１の側面又は第１の側面の可能な実施方法のいずれか１つに関しての、第５の可能な実施方法において、前記ＲＥ構成を取得するステップは：上位レイヤのシグナリングであって、１つ以上の第１のＲＥ構成及び対応するインデックスを送信し、かつ前記基地局により送信される、上位レイヤのシグナリング、を受信するステップ；ダイナミックシグナリングであって、前記複数のＲＥ構成に対応する第１のインデックスを送信し、かつ前記基地局により送信される、ダイナミックシグナリング、を受信するステップ；及び前記第１のインデックスに従い、１つ以上の第１のＲＥ構成及び１つ以上の第２のＲＥ構成を含むＲＥ構成のセットから前記ＲＥ構成を取得するステップであって、前記１つ以上の第２のＲＥ構成及び前記対応するインデックスは、事前に定められている、ステップ；を含む。
【００１１】
第１の側面又は第１の側面の可能な実施方法のいずれか１つに関しての、第６の可能な実施方法において、前記ＲＥ構成を取得するステップは：ダイナミックシグナリングであって、前記ＲＥ構成に対応する第１のインデックスを送信し、かつ前記基地局により送信される、ダイナミックシグナリング、を受信するステップ；前記第１のインデックスに従って、１つ以上のＲＥ構成を含むＲＥ構成のセットから前記ＲＥ構成を取得するステップであって、前記１つ以上のＲＥ構成及び前記対応するインデックスは事前に定められている、ステップ；を含む。
【００１２】
第１の側面又は第１の側面の可能な実施方法のいずれか１つに関しての、第７の可能な実施方法において、前記方法はさらに：前記データシンボルを有用なデータシンボル又は無用なデータシンボルとして使用することにより、前記データシンボルについて復調及びチャネル復号を実行するステップ；を含む。
【００１３】
第１の側面の第７の可能な実施方法に関しての、第８の可能な実施方法において、前記データシンボルを有用なデータシンボル又は無用なデータシンボルとして用いて前記データシンボルについての復調及びチャネル復号化を実行するステップは：前記基地局により送信されるダイナミックシグナリングに従って、前記データシンボルを有用なデータシンボル又は無用なデータシンボルとして使用することにより、前記データシンボルについての復調及びチャネル復号化を実行するステップであって、前記ダイナミックシグナリングは、前記データシンボルが有用なデータシンボル又は無用なデータシンボルであることを示すために用いられる、ステップ；を含む。
【００１４】
第１の側面又は第１の側面の可能な実施方法のいずれか１つに関しての、第９の可能な実施方法において、前記上位レイヤのシグナリングは、ビットマップ符号を含み、前記ビットマップ符号の中の複数のビットは、前記ＣＳＩ−ＲＳのパイロットパターンに対応し、かつ前記ＣＳＩ−ＲＳの前記パイロットパターンのアンテナポートの数は１、２、４、又は８である。
【００１５】
第１の側面又は第１の側面の可能な実施方法のいずれか１つに関しての、第１０の可能な実施方法において、前記ＣＳＩ−ＲＳは、電力がゼロであるＣＳＩ−ＲＳ又はゼロでない電力のＣＳＩ−ＲＳである。
【００１６】
第１の側面又は第１の側面の可能な実施方法のいずれか１つに関しての、第１１の可能な実施方法において、前記ＲＥ構成は、サイクリックオフセット及びサブフレームオフセットを含む。
【００１７】
第２の側面によると、ユーザ装置ＵＥに対してリソースエレメントＲＥ構成を通知するステップであって、前記ＲＥ構成により示されるＲＥは、チャネル状態情報参照信号ＣＳＩ−ＲＳを送信するために利用可能な前記ＲＥのサブセット及びその上にデータシンボルをマッピングすることの可能な前記ＲＥである、ステップ；及び前記ＲＥ構成に従って、前記データシンボルを、前記ＲＥ構成により示される前記ＲＥにおいて、前記ＵＥに送信するステップ；を含むデータ送信方法が提供される。
【００１８】
第１の側面の第１の可能な実施方法において、前記ＲＥ構成を前記ＵＥに通知するステップは：前記ＲＥ構成を前記ＵＥに通知するために前記ＵＥにダイナミックシグナリングを送信するステップであって、前記ダイナミックシグナリングは前記ＵＥが、現在送信されているサブフレームの中の第２のＲＥ構成に対応するインデックスを知るためのシグナリングであり、かつ現在送信されているサブフレームの中の前記インデックスに対応する前記第２のＲＥ構成により示されるＲＥは、その上に前記データシンボルをマッピングすることのできない前記ＲＥ以外の、前記ＣＳＩ−ＲＳを送信するための前記ＲＥであることを知るためのシグナリングである、ステップ；及び前記現在送信されているサブフレームの中の前記第２のＲＥ構成に従って、前記ＵＥが、その上に前記データシンボルをマッピングすることができる前記ＲＥを示す前記ＲＥ構成を取得するステップ；を含む。
【００１９】
第２の側面又は第２の側面の第１の可能な実施方法に関しての、第２の可能な実施方法において、前記ＲＥ構成により示される前記ＲＥにおいて前記ＵＥに対して前記データシンボルを送信するステップは：前記ＲＥ構成により示される前記ＲＥにおいて１つ以上の第１のアクセスポイントＡＰを介して、前記データシンボルを前記ＵＥに送信するステップ；を含み、かつ前記方法は、さらに：１つ以上の第２のＡＰを介して、前記ＲＥ構成により示される前記ＲＥにおいて、前記ＣＳＩ−ＲＳを前記ＵＥに送信するステップであって、前記１つ以上の第１のＡＰ及び前記１つ以上の第２のＡＰは、マルチポイント協調送受信システムにおける複数の協調ＡＰである、ステップ；を含む。
【００２０】
第２の側面又は第２の側面の可能な実施方法のいずれか１つに関しての、第３の可能な実施方法において、前記ＲＥ構成を前記ＵＥに通知するステップは：前記ＲＥ構成を前記ＵＥに送信する上位レイヤのシグナリングを送信するステップを含む。
【００２１】
第２の側面又は第２の側面の可能な実施方法のいずれか１つに関しての、第４の可能な実施方法において、前記ＲＥ構成を前記ＵＥに通知するステップは：複数のＲＥ構成及び対応する複数のインデックスを前記ＵＥに送信する上位レイヤのシグナリングを送信するステップ；及び前記ＲＥ構成に対応する第１のインデックスを送信するダイナミックシグナリングを前記ＵＥに送信するステップであって、前記ＲＥ構成は、前記複数のＲＥ構成を含むＲＥ構成のセットに属する、ステップを含む。
【００２２】
第２の側面又は第２の側面の可能な実施方法のいずれか１つに関しての、第５の可能な実施方法において、前記ＲＥ構成を前記ＵＥに通知するステップは：１つ以上の第１のＲＥ構成及び対応するインデックスを送信する上位レイヤのシグナリングを前記ＵＥに送信するステップ；及び前記ＲＥ構成に対応する第１のインデックスを送信するダイナミックシグナリングを前記ＵＥに送信するステップであって、前記ＲＥ構成は、前記１つ以上の第１のＲＥ構成及び１つ以上の第２のＲＥ構成を含むＲＥ構成のセットに属し、前記１つ以上のＲＥ構成及び前記対応するインデックスは予め定められている、ステップ；を含む。
【００２３】
第２の側面又は第２の側面の可能な実施方法のいずれか１つに関しての、第６の可能な実施方法において、ＲＥ構成をＵＥに対して通知するステップは：前記ＲＥ構成に対応する第１のインデックスを送信するダイナミックシグナリングを前記ＵＥに送信するステップであって、前記ＲＥ構成は、１つ以上のＲＥ構成を含むＲＥ構成のセットに属し、前記１つ以上のＲＥ構成及び前記対応するインデックスは事前に定められている、ステップ；を含む。
【００２４】
第２の側面又は第２の側面の可能な実施方法のいずれか１つに関しての、第７の可能な実施方法において、前記ＲＥ構成により示される前記ＲＥにおいて前記データシンボルを前記ＵＥに送信するステップは：前記データシンボルを、前記ＲＥ構成のセットの中の各ＲＥ構成により示される前記ＲＥの上にマッピングするステップ；及び前記ＣＳＩ−ＲＥの複数の送信の要件に従って、各ＲＥ構成により示される前記ＲＥの中の前記ＲＥ構成により示される前記ＲＥ以外のＲＥにマッピングされる前記複数のデータシンボルを削除するステップ；を含む。
【００２５】
第２の側面及び第２の側面の可能な実施方法のいずれか１つに関しての、第８の可能な実施方法において、前記上位レイヤのシグナリングは、ビットマップ符号を含み、前記ビットマップ符号の中の複数のビットは、前記ＣＳＩ−ＲＳのパイロットパターンに対応し、かつ前記ＣＳＩ−ＲＳの前記パイロットパターンに対応するアンテナポートの数は、１、２、４、又は８である。
【００２６】
第２の側面又は第２の側面の可能な実施方法のいずれか１つに関しての、第９の可能な実施方法において、前記ＣＳＩ−ＲＳは、電力がゼロであるＣＳＩ−ＲＳ又はゼロでない電力のＣＳＩ−ＲＳである。
【００２７】
第２の側面又は第２の側面の可能な実施方法のいずれか１つに関しての、第１０の可能な実施方法において、前記ＲＥ構成は、サイクリックオフセット及びサブフレームオフセットを含む。
【００２８】
第３の側面によると、リソースエレメントＲＥ構成を取得するように構成される取得部であって、前記ＲＥ構成により示されるＲＥは、チャネル状態情報参照信号ＣＳＩ−ＲＳを送信するために利用可能な前記ＲＥのサブセットであり、かつその上にデータシンボルをマッピングすることができる前記ＲＥである、取得部；及び前記ＲＥ構成に従って、前記ＲＥ構成により示される前記ＲＥにおいて基地局により送信される前記データシンボルを受信するように構成される受信部；を備える、ユーザ装置が提供される。
【００２９】
第３の側面の第１の可能な実施方法において、前記取得部は、具体的には、以下のように前記ＲＥ構成を取得するように構成される：前記基地局により送信されるダイナミックシグナリングに従って、現在送信されているサブフレームの中の第２のＲＥ構成に対応するインデックスを認識し；前記現在送信されているサブフレームの中の前記インデックスに対応する前記第２のＲＥ構成により示されるＲＥは、その上に前記データシンボルをマッピングすることのできない前記ＲＥ以外の前記ＣＳＩ−ＲＳを送信するための前記ＲＥであることを認識し；かつ前記現在送信されているサブフレームの中の前記第２のＲＥ構成に従って、その上に前記データシンボルをマッピングすることの可能な前記ＲＥを示す前記ＲＥ構成を取得する。
【００３０】
第３の側面又は第３の側面の第１の可能な実施方法に関しての、第２の可能な実施方法において、ユーザ装置はさらに測定部を含み、前記受信部は具体的には、前記ＲＥ構成により示される前記複数のＲＥにおける１つ以上の第１のアクセスポイントＡＰを介して、前記基地局により送信される前記データシンボルを受信するように構成され；前記受信部は、さらに、１つ以上の第２のＡＰを介して、前記ＲＥ構成により示される前記複数のＲＥにおいて、前記基地局により送信される前記ＣＳＩ−ＲＳを受信するように構成され；かつ前記測定部は、具体的には、前記ＣＳＩ−ＲＳに従って、前記１つ以上の第１のＡＰによる前記１つ以上の第２のＡＰに対する干渉を測定するように構成される。
【００３１】
第３の側面又は第３の側面の可能な実施方法のいずれか１つに関しての、第３の可能な実施方法において、前記取得部は、具体的には、上位レイヤのシグナリングであって、前記ＲＥ構成を送信し、かつ前記基地局により送信される上位レイヤのシグナリング、を受信し、かつ前記上位レイヤのシグナリングに従って、前記ＲＥ構成を取得するように構成される；又は前記取得部は、具体的には、事前に定められた前記ＲＥ構成を取得するように構成される。
【００３２】
第３の側面又は第３の側面の可能な実施方法のいずれか１つに関しての、第４の可能な実施方法において、前記取得部は、具体的には、上位レイヤのシグナリングであって、複数のＲＥ構成及び対応する複数のインデックスを送信し、かつ前記基地局により送信される、上位レイヤのシグナリングを受信し；ダイナミックシグナリングであって、前記ＲＥ構成に対応する第１のインデックスを送信し、かつ前記基地局により送信される、ダイナミックシグナリングを受信し；かつ前記第１のインデックスに従って、前記複数のＲＥ構成を含むＲＥ構成のセットから前記ＲＥ構成を取得するように構成される。
【００３３】
第３の側面又は第３の側面の可能な実施方法のいずれか１つに関しての、第５の可能な実施方法において、前記取得部は、具体的には、上位レイヤのシグナリングであって、１つ以上のＲＥ構成及び対応するインデックスを送信し、かつ前記基地局により送信される、上位レイヤのシグナリングを受信し；ダイナミックシグナリングであって、前記ＲＥ構成に対応する第１のインデックスを送信し、かつ前記基地局により送信される、ダイナミックシグナリングを受信し；かつ前記第１のインデックスに従って、前記１つ以上の第１のＲＥ構成及び１つ以上の第２のＲＥ構成を含むＲＥ構成のセットから前記ＲＥ構成を取得するように構成され、前記１つ以上の第２のＲＥ構成及び前記対応するインデックスは事前に定められている。
【００３４】
第３の側面又は第３の側面の可能な実施方法のいずれか１つに関しての、第６の可能な実施方法において、前記取得部は、具体的には、ダイナミックシグナリングであって、前記ＲＥ構成に対応する第１のインデックスを送信し、かつ前記基地局により送信される、ダイナミックシグナリングを受信し；かつ前記第１のインデックスに従って、１つ以上のＲＥ構成を含むＲＥ構成のセットから前記ＲＥ構成を取得するように構成され、前記１つ以上のＲＥ構成及び対応するインデックスは事前に定められている。
【００３５】
第３の側面又は第３の側面の可能な実施方法のいずれか１つに関しての、第７の可能な実施方法において、ユーザ装置はさらに、前記データシンボルを有用なデータシンボル又は無用なデータシンボルとして用いることにより、前記データシンボルにおける復調及びチャネル復号化を実行するように構成される処理部を含む。
【００３６】
第３の側面又は第３の側面の可能な実施方法のいずれか１つに関しての、第８の可能な実施方法において、前記処理部は、具体的には、前記基地局により送信されるダイナミックシグナリングに従って、前記データシンボルを有用なデータシンボル又は無用なデータシンボルとして用いることにより、前記データシンボルにおいて復調及びチャネル符号化を実行するように構成され、前記ダイナミックシグナリングは、前記データシンボルが有用なデータシンボル又は無用なデータシンボルであるかを示すために用いられる。
【００３７】
第３の側面又は第３の側面の可能な実施方法のいずれか１つに関しての、第９の可能な実施方法において、前記上位レイヤのシグナリングは、ビットマップ符号を含み、前記ビットマップ符号の中の複数のビットは、前記ＣＳＩ−ＲＳのパイロットパターンに対応し、かつ前記ＣＳＩ−ＲＳの前記パイロットパターンに対応するアンテナポートの数は、１、２、４、又は８である。
【００３８】
第３の側面又は第３の側面の可能な実施方法のいずれか１つに関しての、第１０の可能な実施方法において、前記ＣＳＩ−ＲＳは電力がゼロであるＣＳＩ−ＲＳ又はゼロでない電力のＣＳＩ−ＲＳである。
【００３９】
第３の側面又は第３の側面の可能な実施方法のいずれか１つに関しての、第１１の可能な実施方法において、前記ＲＥ構成はサイクリックオフセット及びサブフレームオフセットを含む。
【００４０】
第４の側面によると、リソースエレメントＲＥ構成をユーザ装置ＵＥに通知するように構成される通知部であって、前記ＲＥ構成により示されるＲＥは、チャネル状態情報参照信号ＣＳＩ−ＲＳを送信するために利用可能な前記ＲＥのサブセットであり、かつその上にデータシンボルをマッピングすることのできる前記ＲＥである、通知部；及び前記ＲＥ構成に従って、前記ＲＥ構成により示される前記複数のＲＥにおいて、前記複数のデータシンボルを前記ＵＥに送信するように構成される送信部；を含む基地局が提供される。
【００４１】
第４の側面の第１の可能な実施方法において、前記通知部は、具体的には、以下のように、前記ＲＥ構成を前記ＵＥに通知するように構成される：前記ＲＥ構成を前記ＵＥに通知するために前記ＵＥにダイナミックシグナリングを送信し、前記ダイナミックシグナリングは前記ＵＥが、現在送信されているサブフレームの中の第２のＲＥ構成に対応するインデックスを知るためのシグナリングであり、かつ現在送信されているサブフレームの中の前記インデックスに対応する前記第２のＲＥ構成により示されるＲＥは、その上に前記データシンボルをマッピングすることのできない前記ＲＥ以外の、前記ＣＳＩ−ＲＳを送信するための前記ＲＥであることを知るためのシグナリングであり；かつ前記現在送信されているサブフレームの中の前記第２のＲＥ構成に従って、前記ＵＥが、その上に前記データシンボルをマッピングすることができる前記ＲＥを示す前記ＲＥ構成を取得する。
【００４２】
第４の側面又は第４の側面の第１の可能な実施方法に関しての、第２の可能な実施方法において、前記送信部は、具体的には、前記ＲＥ構成により示される前記複数のＲＥにおいて、１つ以上の第１のアクセスポイントＡＰを介して、前記データシンボルを前記ＵＥに送信するように構成され；かつ前記送信部は、さらに、前記ＲＥ構成により示される前記複数のＲＥにおいて、１つ以上の第２のＡＰを介して、複数の前記ＣＳＩ−ＲＳを前記ＵＥに対して送信するように構成され、前記１つ以上の第１のＡＰ及び前記１つ以上の第２のＡＰは、マルチポイント協調送受信システムにおける複数の協調されるＡＰである。
【００４３】
第４の側面又は第４の側面の可能な実施方法のいずれか１つに関しての、第３の可能な方法において、前記通知部は、具体的には、前記ＲＥ構成を前記ＵＥに対して送信する上位レイヤのシグナリングを送信するように構成される。
【００４４】
第４の側面又は第４の側面の可能な実施方法のいずれか１つに関しての、第４の可能な実施方法において、前記通知部は、具体的には、上位レイヤのシグナリングであって、複数のＲＥ構成及び対応する複数のインデックスを送信する、上位レイヤのシグナリング、を前記ＵＥに送信し；かつダイナミックシグナリングであって、前記ＲＥ構成に対応する第１のインデックスを送信する、ダイナミックシグナリング、を前記ＵＥに送信するように構成され、前記ＲＥ構成は、前記複数のＲＥ構成を含むＲＥ構成のセットに属する。
【００４５】
第４の側面又は第４の側面の可能な実施方法のいずれか１つに関しての、第５の可能な実施方法において、前記通知部は、具体的には、上位レイヤのシグナリングであって、１つ以上のＲＥ構成及び対応するインデックスを送信する、上位レイヤのシグナリング、を前記ＵＥに送信し、かつダイナミックシグナリングであって、前記ＲＥ構成に対応する第１のインデックスを送信する、ダイナミックシグナリングを、前記ＵＥに送信するように構成され、前記ＲＥ構成は、１つ以上の第１のＲＥ構成及び１つ以上の第２のＲＥ構成を含むＲＥ構成のセットに属し、前記１つ以上の第２のＲＥ構成及び前記対応するインデックスは、事前に定められている。
【００４６】
第４の側面又は第４の側面の可能な実施方法のいずれか１つに関しての、第６の可能な実施方法において、前記通知部は、具体的には、ダイナミックシグナリングであって、前記ＲＥ構成に対応する第１のインデックスを送信する、ダイナミックシグナリングを前記ＵＥに送信するように構成され、前記ＲＥ構成は、１つ以上のＲＥ構成を含むＲＥ構成のセットに属し、前記１つ以上のＲＥ構成及び前記対応するインデックスは、事前に定められている。
【００４７】
第４の側面又は第４の側面の可能な実施方法のいずれか１つに関しての、第７の可能な実施方法において、前記送信部は、具体的には、前記データシンボルを、前記ＲＥ構成のセットの中の各ＲＥ構成により示される前記ＲＥにマッピングし；かつ前記ＣＳＩ−ＲＳの複数の送信要件に従って、各ＲＥ構成により示される前記ＲＥの中の前記ＲＥ構成により示される前記ＲＥ以外のＲＥにマッピングされる前記複数のデータシンボルを削除するように構成される。
【００４８】
第４の側面又は第４の側面の可能な実施方法のいずれか１つに関しての、第８の可能な実施方法において、前記上位レイヤのシグナリングは、ビットマップ符号を含み、前記ビットマップ符号における複数のビットは、前記ＣＳＩ−ＲＳのパイロットパターンに対応し、かつ前記ＣＳＩ−ＲＳの前記パイロットパターンに対応する前記アンテナポートの数は、１、２、４、又は８である。
【００４９】
第４の側面又は第４の側面の可能な実施方法のいずれか１つに関しての、第９の可能な実施方法において、前記ＣＳＩ−ＲＳは、電力がゼロであるＣＳＩ−ＲＳ又はゼロでない電力のＣＳＩ−ＲＳである。
【００５０】
第４の側面又は第４の側面の可能な実施方法のいずれか１つに関しての、第１０の可能な実施方法において、前記ＲＥ構成は、サイクリックオフセット及びサブフレームオフセットを含む。
【００５１】
本発明の複数の実施例において、前記ＵＥが前記ＣＳＩ−ＲＳを送信するために用いられる前記ＲＥにおいて、データシンボルを受信することができるように、データシンボルは、前記ＣＳＩ−ＲＳを送信するための前記ＲＥに対してマッピングされることが可能である。これにより、前記ＲＥの前記利用効率を改善する。
【図面の簡単な説明】
【００５２】
本発明の複数の実施例における複数の技術的解決手段を説明するために、以下において、本発明の複数の実施例により必要とされる添付図面を簡潔に紹介する。明らかに、以下の説明における添付図面は、本発明のいくつかの実施例を示すのみであり、そして当業者は、創造的努力なしに、これらの添付図面から他の図面をさらに導き出すことができる。
【００５３】
【図１】本発明の複数の実施例に適用可能な例示的なシナリオの概略図である。
【００５４】
【図２】本発明の実施例に従うデータ送信方法の概略フローチャートである。
【００５５】
【図３】本発明の他の実施例に従うデータ送信方法の概略フローチャートである。
【００５６】
【図４】本発明の他の実施例に従うデータ送信方法のプロセスの概略フローチャートである。
【００５７】
【図５ａ】本発明の他の実施例に従う複数のＣＳＩ−ＲＳパイロットパターンの複数の例の概略図である。
【図５ｂ】本発明の他の実施例に従う複数のＣＳＩ−ＲＳパイロットパターンの複数の例の概略図である。
【００５８】
【図６ａ】本発明の他の実施例に従う複数のＣＳＩ−ＲＳパイロットパターンの複数の例の概略図である。
【図６ｂ】本発明の他の実施例に従う複数のＣＳＩ−ＲＳパイロットパターンの複数の例の概略図である。
【００５９】
【図７ａ】本発明の他の実施例に従う複数のＣＳＩ−ＲＳパイロットパターンの複数の例の概略図である。
【図７ｂ】本発明の他の実施例に従う複数のＣＳＩ−ＲＳパイロットパターンの複数の例の概略図である。
【００６０】
【図８】本発明の実施例に従うユーザ装置のブロック図である。
【００６１】
【図９】本発明の実施例に従う基地局のブロック図である。
【発明を実施するための形態】
【００６２】
以下において、本発明の複数の実施例における添付図面を参照することにより、本発明の複数の実施例における複数の技術的解決手段を明確かつ完全に説明する。説明される複数の実施例は、本発明の全ての実施例というよりは、その一部であることが明らかである。創造的な努力をすることなく、本発明の複数の実施例に基づいて、当業者により取得される他の全ての実施例は、本発明の保護範囲内に属すものとしなければならない。
【００６３】
本発明の複数の技術的解決手段は、例えば、汎欧州デジタル移動電話方式（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボルーション（Ｌｏｎｇ  Ｔｅｒｍ  Ｅｖｏｌｕｔｉｏｎ、ＬＴＥ）システム、などの、ＵＥ固有のＣＳＩ−ＲＳ構成を使用する各種通信システムに対して適用可能である。
【００６４】
携帯端末（Ｍｏｂｉｌｅ  Ｔｅｒｍｉｎａｌ、ＭＴ）又は携帯ユーザ装置等としても知られるユーザ装置（Ｕｓｅｒ  Ｅｑｕｉｐｍｅｎｔ、ＵＥ）は、１つ以上のコアネットワークと通信することができる。ユーザ装置は、携帯電話（又は「セルラ」フォンとして知られる）又は携帯電話付のコンピュータ等の携帯端末であってもよい。例えば、ユーザ装置は、携帯モバイルデバイス、ポケットモバイルデバイス、ハンドヘルドモバイルデバイス、コンピュータに内蔵されるモバイルデバイス、又は車載モバイルデバイスであってもよい。これらは、無線アクセスネットワークと言語及び／又はデータを交換する。
【００６５】
基地局は、ＧＳＭ（登録商標）又はＣＤＭＡにおける基地局（ＢＴＳ、Ｂａｓｅ  Ｔｒａｎｓｃｅｉｖｅｒ  Ｓｔａｔｉｏｎ）、又はＷＣＤＭＡ（登録商標）における基地局（ＮｏｄｅＢ）、又はＬＴＥにおける進化型基地局（ｅＮＢ又はｅ−ＮｏｄｅＢ、ｅｖｏｌｖｅｄ  Ｎｏｄｅ  Ｂ）であってもよく、これについては本明細書においては限定されない。
【００６６】
図１は、本発明の複数の実施例に適用可能な例示的なシナリオの概略図である。
【００６７】
図１のアプリケーションシナリオは、マルチポイント協調送受信（Ｃｏｏｒｄｉｎａｔｅｄ  Ｍｕｌｔｉｐｌｅ  Ｐｏｉｎｔ  ｔｒａｎｓｍｉｓｓｉｏｎ  ａｎｄ  ｒｅｃｅｐｔｉｏｎ、ＣｏＭＰ）技術を用いた分散アンテナシステム（Ｄｉｓｔｒｉｂｕｔｅｄ  Ａｎｔｅｎｎａ  Ｓｙｓｔｅｍ、ＤＡＳ）であってもよい。ＤＡＳにおいて、複数のアクセスポイント（Ａｃｃｅｓｓ  Ｐｏｉｎｔ、ＡＰ）は、１つ以上のＵＥに対して、同時に複数のデータサービスを提供してもよい。
【００６８】
図１に示されるように、アプリケーションシナリオは、１つのマクロ基地局１０１及び６つの分散配置されたＡＰ：ＡＰ１、ＡＰ２、ＡＰ３、ＡＰ４、ＡＰ５、及びＡＰ６、を含む。ＡＰ１からＡＰ６のうちの各ＡＰは、１つ以上のアンテナを有し、かつそれらは同じセルＩＤ（Ｃｅｌｌ  Ｉｄｅｎｔｉｆｉｃａｔｉｏｎ、Ｃｅｌｌ  ＩＤ）を共有する。ＡＰ１からＡＰ６は、１つ以上のＵＥに対する複数のデータサービスを提供するために協調してもよい。例えば、ＡＰ１及びＡＰ２は、ＵＥ１及びＵＥ２に対して、同時にデータサービスを提供してもよい。説明を容易にするために、図１は、ＡＰ１及びＡＰ２がＵＥ１及びＵＥ２に対して、同時に、データサービスを提供するシナリオのみを示しているが、これは、本発明の複数の実施例の範囲を限定するものと解釈してはならない。例えば、図１において、ＵＥ１及びＵＥ２に対して、同時に、データサービスを提供する複数のＡＰは、ＡＰ１からＡＰ６のうちの２つ以上であってもよい。
【００６９】
説明を容易にするため、図１は、６つのＡＰ及び２つのＵＥだけを示しているが、本発明の複数の実施例におけるＡＰの数及びＵＥの数は、図示される数に限定されるものではなく、１つ以上のＡＰ及び１つ以上のＵＥが存在してもよい、ということに注意すべきである。
【００７０】
本発明の実施例において、ＡＰは、セル、又はセルに対応するＡＰ、又はリモート無線ヘッド（Ｒｅｍｏｔｅ  Ｒａｄｉｏ  Ｈｅａｄ、ＲＲＨ）、又は無線リモートユニット（Ｒａｄｉｏ  Ｒｅｍｏｔｅ  Ｕｎｉｔ、ＲＲＵ）、又はアンテナユニット（Ａｎｔｅｎｎａ  Ｕｎｉｔ、ＡＵ）であってもよいと理解されるべきである。本発明の複数の実施例は、ＡＰの種別については限定しない。説明を容易にするために、本明細書の説明において、用語「ＡＰ」が一様に使用されるが、これは、本発明の複数の実施例の範囲を限定してはならない。
【００７１】
図２は、本発明の実施例に従うデータ送信方法の概略フローチャートである。図１の方法は、例えば、図１のＵＥ１又はＵＥ２等の、ＵＥによって実行される。
【００７２】
２１０．ＲＥ構成を取得する。ここで、当該ＲＥ構成により示されるＲＥは、ＣＳＩ−ＲＳを送信するために利用可能なＲＥのサブセットであり、かつその上にデータシンボルをマッピングすることの可能なＲＥである。
【００７３】
ＵＥにより利用可能な１つ以上のＲＥ構成が存在してもよく、これは、本発明の実施例によっては限定されない。ＲＥ構成により示されるＲＥは、ＣＳＩ−ＲＳを送信するために利用可能なＲＥのサブセットである。ここにおけるサブセットは、広義のサブセットであってもよく、すなわち、ＲＥ構成により示されるＲＥは、ＣＳＩ−ＲＳを送信するために利用可能な複数のＲＥの一部であってもよく、又はＣＳＩ−ＲＳを送信するために利用可能な全てのＲＥであってもよく、これについては、本発明の実施例によっては限定されない。
【００７４】
２２０．ＲＥ構成に従って、当該ＲＥ構成により示されるＲＥにおいて、基地局により送信されるデータシンボルを受信する。
【００７５】
本発明の実施例において、ＣＳＩ−ＲＳを送信するために利用されるＲＥにおいて、ＵＥがデータシンボルを受信することができるようにするため、ＣＳＩ−ＲＳを送信するために用いられるＲＥに対してデータシンボルをマッピングすることができ、これにより、ＲＥの利用効率を向上させることができる。
【００７６】
ＣｏＭＰシステムにおいて、複数のＡＰは、１つ以上のＵＥに対して、複数のデータサービスを同時に提供してもよい。例えば、図１におけるＡＰ１及びＡＰ２は、ＵＥ１及びＵＥ２に対するデータサービスを同時に提供してもよい。ＣｏＭＰサービスを受けるＵＥは、ＣＳＩ−ＲＳに従って、ＵＥとＡＰとの間の下りチャネルを測定する。さらに、ＵＥは、ＣＳＩ−ＲＳに従って、干渉を測定する必要がある。しかしながら、従来技術において、ＵＥは、ＣＳＩ−ＲＳに従って、ＡＰ間の干渉を測定することはできず、このことは、不正確な干渉測定につながり、かつチャネル品質インジケータ（Ｃｈａｎｎｅｌ  Ｑｕａｌｉｔｙ  Ｉｎｄｉｃａｔｏｒ、ＣＱＩ）の精度に影響を与え、かつＵＥに対するサービス品質及びシステムのスループットに影響を与える。
【００７７】
オプションとして、他の実施例において、ステップ２２０で、ＵＥは、１つ以上の第１のＡＰを介して、ＲＥ構成により示される複数のＲＥにおいて、基地局により送信されるデータシンボルを受信してもよい。この場合、ＵＥは、さらに、１つ以上の第２のＡＰを介して、ＲＥ構成により示される複数のＲＥにおいて、基地局により送信されるＣＳＩ−ＲＳを受信してもよい。ここで、１つ以上の第１のＡＰ及び１つ以上の第２のＡＰは、ＣｏＭＰシステムにおける複数の協調されたＡＰである。１つ以上の第１のＡＰによる、１つ以上の第２のＡＰに対する干渉は、ＣＳＩ−ＲＳに従って測定されてもよい。例えば、ＵＥは、ＣＳＩ−ＲＳの想定される受信値と、データシンボル干渉を受けた受信されたＣＳＩ−ＲＳの実際の値とを比較し、かつ１つ以上の第１のＡＰによる、１つ以上の第２のＡＰに対する干渉を取得してもよい。
【００７８】
従って、本発明の実施例において、受信したＣＳＩ−ＲＳに従って、ＵＥが異なる複数のアクセスポイント間の干渉を測定できるようにするために、ＵＥは、ＣＳＩ−ＲＳを送信するために用いられる複数のＲＥにおいて、ＣＳＩ−ＲＳ及び異なる複数のアクセスポイントを介して基地局により送信されるデータシンボルを受信し、これにより、ＣＱＩの精度を向上させ、かつユーザに対するサービス品質及びシステムスループットを向上させることができる。
【００７９】
オプションとして、他の実施例において、ＣＳＩ−ＲＳは、電力がゼロであるＣＳＩ−ＲＳ又はゼロでない電力のＣＳＩ−ＲＳであってもよい。具体的には、ＣＳＩ−ＲＳは、下りリンクのチャネルを測定するため、又は干渉を測定するために使用されてもよい。下りリンクのチャネルの測定のためにＣＳＩ−ＲＳは、ゼロでない電力のＣＳＩ−ＲＳであり、そして干渉を測定するためのＣＳＩ−ＲＳは、電力がゼロであるＣＳＩ−ＲＳ又はゼロでない電力のＣＳＩ−ＲＳであってもよい。
【００８０】
オプションとして、他の実施例において、ステップ２０１で、ＵＥは、上位レイヤのシグナリングであって、ＲＥ構成を送信し、かつ基地局により送信される、上位レイヤのシグナリングを受信してもよく、かつ上位レイヤのシグナリングに従って、ＲＥ構成を取得してもよく、又はＵＥは、事前に定められたＲＥ構成を取得してもよい。
【００８１】
ＵＥは、基地局により半静的に送信される、１つ以上の上位レイヤのシグナリングを受信してもよく、これについては本発明の実施例によっては限定されないということに注意すべきである。また、ＲＥ構成は、ＵＥ及び基地局により、事前に定められてもよい。例えば、ＵＥは、ＲＥ構成を、基地局によりＵＥに対して通知されたＲＥを示し、かつＣＳＩ−ＲＳを送信するために利用可能なＲＥのサブセットである、ＲＥ構成として、事前に定めてもよい。例えば、事前に定められる通り、ＲＥ構成により示されるＲＥは、ＣＳＩ−ＲＳを送信するために用いられ、かつ既に基地局によってＵＥに通知されている全てのＲＥ、又は干渉を測定するために用いられるＣＳＩに対応する全てのＲＥ、又は空集合であってもよい。ここにおけるサブセットは、空集合又はＣＳＩ−ＲＳを送信するために利用可能な全てのＲＥ又は一部のＲＥを含む、広義のサブセットであってもよいことに注意すべきである。ＲＥ構成は事前に定められ、つまり、基地局及びＵＥの双方により認識されており、かつ追加の上位レイヤのシグナリングを用いることにより、基地局により、ＵＥに対して通知される必要はなく、これにより、シグナリングのオーバヘッドを節約する。
【００８２】
オプションとして、他の実施例において、ステップ２１０で、ＵＥは、上位レイヤのシグナリングであって、複数のＲＥ構成及び対応する複数のインデックスを送信し、かつ基地局により送信される、上位レイヤのシグナリング、を受信し；ダイナミックシグナリングであって、ＲＥ構成に対応する第１のインデックスを送信し、かつ基地局により送信される、ダイナミックシグナリング、を受信し；かつ第１のインデックスに従って、複数のＲＥ構成を含むＲＥ構成のセットからＲＥ構成を取得してもよい。
【００８３】
ダイナミックポイント選択（Ｄｙｎａｍｉｃ  Ｐｏｉｎｔ  Ｓｅｌｅｃｔｉｏｎ、ＤＰＳ）において、ＵＥにデータサービスを提供するＡＰは、複数のＡＰの間で動的に変更されてもよく、かつＲＥ構成もまた動的に変更されてもよい。従って、ＵＥは、基地局により半静的に送信される、１つ以上の上位レイヤのシグナリングを用いて、ＲＥ構成を取得し、そしてその後、基地局により送信されるダイナミックシグナリングに従って、現在送信されているサブフレームの中において、動的に、ＲＥ構成を取得してもよい。
【００８４】
オプションとして、他の実施例において、ステップ２１０で、ＵＥは、上位レイヤのシグナリングであって、１つ以上の第１のＲＥ構成及び対応するインデックスを送信し、かつ基地局により送信される、上位レイヤのシグナリング、を受信してもよい。ＵＥは、ダイナミックシグナリングであって、ＲＥ構成に対応する第１のインデックスを送信し、かつ基地局により送信される、ダイナミックシグナリング、を受信してもよい。第１のインデックスに従って、ＵＥは、１つ以上の第１のＲＥ構成及び１つ以上の第２のＲＥ構成を含むＲＥ構成のセットからＲＥ構成を取得する。ここで、１つ以上の第２のＲＥ構成及び対応するインデックスは、事前に定められている。１つ以上の第１のＲＥ構成及び１つ以上の第２のＲＥ構成は、互いに異なる。
【００８５】
ＤＰＳにおいて、ＵＥに対して複数のデータサービスを提供するＡＰは、複数のＡＰの間で動的に変更されてもよく、そしてＲＥ構成もまた、動的に変更されてもよい。従って、ＵＥは、基地局により半静的に送信される１つ以上の上位レイヤのシグナリングを用いて、１つ以上の第１のＲＥ構成を取得してもよい。また、ＵＥが１つ以上の第１のＲＥ構成及び１つ以上の第２のＲＥ構成を含む、ＲＥ構成のセットを取得できるように、１つ以上の第２のＲＥ構成は事前に設定される。その後、ＵＥは、基地局により送信されるダイナミックシグナリングに従って、現在送信されているサブフレームの中で、動的に、ＲＥ構成を取得することができる。また、１つ以上の第２のＲＥ構成は事前に定められており、すなわち、基地局及びＵＥの双方により認識されており、そして追加の上位レイヤシグナリングを用いて、基地局により、ＵＥに対して通知することは不要であり、これにより、シグナリングのオーバーヘッドを節約する。
【００８６】
オプションとして、他の実施例において、ステップ２１０で、ＵＥは、ダイナミックシグナリングであって、ＲＥ構成に対応する第１のインデックスを送信し、かつ基地局により送信される、ダイナミックシグナリング、を受信してもよい。第１のインデックスに従って、ＵＥは、１つ以上のＲＥ構成を含むＲＥ構成のセットからＲＥ構成を取得する。ここで、１つ以上のＲＥ構成及び対応するインデックスは事前に定められていてもよい。
【００８７】
ＤＰＳにおいて、ＵＥに対して複数のデータサービスを提供するＡＰは、複数のＡＰの間で動的に変更されてもよく、そしてＲＥ構成もまた、動的に変更されてもよい。従って、ＵＥは、１つ以上のＲＥ構成を含むＲＥ構成のセットを事前に定めてもよく、そしてその後、基地局により送信されるダイナミックシグナリングに従って、現在送信されているサブフレームの中で、ＲＥ構成を動的に取得することができる。また、ＲＥ構成のセットは事前に定められ、すなわち、基地局及びＵＥの双方により認識されており、そして追加の上位レイヤのシグナリングを用いて、基地局によりＵＥに対して通知することは不要であり、これにより、シグナリングのオーバーヘッドを節約する。
【００８８】
オプションとして、他の実施例において、データシンボルが受信された後、ＵＥは、データシンボルを有用なデータシンボル又は無用なデータシンボルとして用いることにより、データシンボルの復調及びチャネル復号化を実行してもよい。例えば、データシンボルが無用なデータシンボルとして用いられる場合、ＵＥは、データシンボルを固定値（例えば０）に設定するか、又はデータシンボルに対応する信頼度を０又は無限小に設定してもよい。
【００８９】
オプションとして、他の実施例において、基地局により送信されたダイナミックシグナリングに従って、ＵＥは、データシンボルを有用なデータシンボル又は無用なデータシンボルとして用いることにより、データシンボルの復調及びチャネル復号化を実行してもよい。ここで、ダイナミックシグナリングは、データシンボルが有用なデータシンボルであるか又は無用なデータシンボルであるかを示すために用いられてもよい。
【００９０】
オプションとして、他の実施例において、上位レイヤのシグナリングはビットマップ符号を含んでもよく、ここでビットマップ符号の中の複数のビット（単一のビット）は、ＣＳＩ−ＲＳのパイロットパターンに対応し、かつＣＳＩ−ＲＳのパイロットパターンに対応するアンテナポートの数は、１、２、４、又は８である。例えば、ビットマップ符号の中のビットの値が１であることは、データシンボルを対応するＲＥに対してマッピングできることを示し；或いはビットマップ符号の中のビットの値が０であることは、データシンボルを対応するＲＥに対してマッピングすることができないことを示す。
【００９１】
オプションとして、他の実施例において、ＲＥ構成は、サイクリックオフセット又はサブフレームオフセットを含んでもよい。
【００９２】
本発明の実施例において、ＵＥが、ＣＳＩ−ＲＳを送信するために用いられるＲＥにおいてデータシンボルを受信できるようにするために、データシンボルは、ＣＳＩ−ＲＳを送信するために用いられるＲＥに対してマッピングすることができる。これにより、ＲＥの利用効率を向上させることができる。
【００９３】
また、本発明の実施例において、受信したＣＳＩ−ＲＳに従って、ＵＥが異なる複数のアクセスポイント間の干渉を測定することができるようにするため、ＵＥは、ＣＳＩ−ＲＳを送信するために用いられる複数のＲＥにおいて、ＣＳＩ−ＲＳ及び異なる複数のアクセスポイントを介して基地局により送信されるデータシンボルを受信し、これにより、チャネル品質インジケータの精度を改善し、かつＵＥに対するサービス品質及びシステムスループットを向上させることができる。
【００９４】
図３は、本発明の他の実施例に従う、データ送信方法の概略フローチャートである。図３の方法は、例えば、図１のアプリケーションシナリオにおけるマクロ基地局１０１といった、基地局により実行される。
【００９５】
３１０．ＲＥ構成をＵＥに通知する。ここで、ＲＥ構成により示されるＲＥは、ＣＳＩ−ＲＳを送信するために利用可能なＲＥのサブセットであり、かつその上にデータシンボルをマッピングすることができるＲＥである。
【００９６】
基地局は１つ以上のＲＥ構成をＵＥに通知してもよく、これについては、本発明の実施例によっては限定されない。ＲＥ構成により示されるＲＥは、ＣＳＩ−ＲＳを送信するために利用可能なＲＥのサブセットである。ここにおけるサブセットは、広義のサブセットであってもよく、つまり、ＲＥ構成により示されるＲＥは、ＣＳＩ−ＲＳを送信するために利用可能な複数のＲＥの一部、又はＣＳＩ−ＲＳを送信するために利用可能な全てのＲＥであってもよく、これについては本発明の実施例によっては限定されない。
【００９７】
３２０．ＲＥ構成に従って、ＲＥ構成により示される複数のＲＥにおいて、複数のデータシンボルをＵＥに送信する。
【００９８】
本発明の実施例において、ＵＥが、ＣＳＩ−ＲＳを送信するために用いられるＲＥにおいてデータシンボルを受信できるようにするために、ＣＳＩ−ＲＳを送信するために用いられるＲＥに対して、データシンボルをマッピングすることができる。これにより、ＲＥの利用効率を向上させることができる。
【００９９】
ＣｏＭＰシステムにおいて、複数のＡＰが、１つ以上のＵＥに対して、同時に、複数のデータサービスを提供してもよい。例えば、図１におけるＡＰ１及びＡＰ２は、ＵＥ１及びＵＥ２に対する複数のデータサービスを同時に提供してもよい。ＣｏＭＰサービスを受けるＵＥは、ＣＳＩ−ＲＳに従って、ＵＥとＡＰとの間の下りリンクのチャネルを測定してもよい。また、ＵＥは、ＣＳＩ−ＲＳに従って、干渉を測定する必要がある。しかしながら、従来技術において、ＵＥは、ＣＳＩ−ＲＳに従って、ＡＰ間の干渉を測定することはできず、これは不正確な干渉測定につながり、かつＣＱＩの精度に影響し、そしてさらにユーザに対するサービス品質及びシステムスループットに影響を与える。
【０１００】
オプションとして、実施例において、基地局は、１つ以上の第１のＡＰを介して、ＲＥ構成により示される複数のＲＥにおいて、ＵＥに複数のデータシンボルを送信してもよい。基地局は、１つ以上の第２のＡＰを介して、ＲＥ構成により示される複数のＲＥにおいて、ＣＳＩ−ＲＳをＵＥに対して送信してもよい。ここで、１つ以上の第１のＡＰと１つ以上の第２のＡＰは、ＣｏＭＰシステムにおける複数の協調されたＡＰである。このように、ＣＳＩ−ＲＳに従って、ＵＥは、１つ以上の第１のＡＰによる、１つ以上の第２のＡＰに対する干渉を測定することができる。例えば、ＵＥは、ＣＳＩ−ＲＳの想定される受信値とデータシンボルの干渉をうけるＣＳＩ−ＲＳの実際の値とを比較し、かつ１つ以上の第１のＡＰによる、１つ以上の第２のＡＰに対する干渉を取得してもよい。
【０１０１】
従って、本発明の実施例において、受信されたＣＳＩ−ＲＳに従って、異なるアクセスポイント間の干渉を、ＵＥが測定することができるようにするために、ＵＥは、ＣＳＩ−ＲＳを送信するために用いられる複数のＲＥにおいて、ＣＳＩ−ＲＳ及び異なる複数のアクセスポイントを介して基地局により送信されるデータシンボルを受信する。これにより、ＣＱＩの精度を向上し、かつＵＥに対するサービス品質及びシステムスループットを向上させることができる。
【０１０２】
オプションとして、他の実施例において、ステップ３１０で、基地局は、上位レイヤのシグナリングであって、ＲＥ構成を送信する、上位レイヤのシグナリング、をＵＥに対して送信してもよい。上位レイヤのシグナリングは、基地局により、半静的に送信されてもよく、かつ１つ以上の上位レイヤのシグナリングが存在してもよく、これについては、本発明の実施例によっては限定されない。
【０１０３】
オプションとして、他の実施例において、ステップ３１０で、基地局は、上位レイヤのシグナリングであって、複数のＲＥ構成及び対応する複数のインデックスを送信する、上位レイヤのシグナリング、をＵＥに対して送信してもよく、かつダイナミックシグナリングであって、ＲＥ構成に対応する第１のインデックスを送信する、ダイナミックシグナリング、をＵＥに対して送信してもよく、ここで、ＲＥ構成は、複数のＲＥ構成を含むＲＥ構成のセットに属する。上位レイヤのシグナリングは、基地局により、半静的に送信されてもよく、かつ１つ以上の上位レイヤのシグナリングが存在してもよく、これについては、本発明の実施例によっては限定されない。
【０１０４】
ＤＰＳにおいて、ＵＥに複数のデータサービスを提供するＡＰは、複数のＡＰの間で動的に変更されてもよく、かつＲＥ構成も、動的に変更されてもよい。従って、ＵＥがＲＥ構成のセットを取得できるようにするために、基地局は、１つ以上の上位レイヤのシグナリングをＵＥに対して半静的に送信してもよい。その後、現在送信されているサブフレームにおいて、動的に、ＵＥがＲＥ構成を取得できるようにするために、基地局は、ＵＥに対してダイナミックシグナリングを送信する。
【０１０５】
オプションとして、他の実施例において、ステップ３１０で、基地局は、上位レイヤのシグナリングであって、１つ以上の第１のＲＥ構成及び対応するインデックスを送信する、上位レイヤのシグナリング、をＵＥに送信してもよく、かつダイナミックシグナリングであって、ＲＥ構成に対応する第１のインデックスをＵＥに送信する、ダイナミックシグナリング、をＵＥに送信してもよく、ＲＥ構成は、１つ以上の第１のＲＥ構成及び１つ以上の第２のＲＥ構成を含む、ＲＥ構成のセットに属し、１つ以上の第２のＲＥ構成及び対応するインデックスは、事前に設定されていてもよい。１つ以上の第１のＲＥ構成と、１つ以上の第２のＲＥ構成とは互いに異なる。
【０１０６】
ＤＰＳにおいて、ＵＥに対して複数のデータサービスを提供するＡＰは、複数のＡＰの間で動的に変更されてもよく、かつＲＥ構成もまた、動的に変更されてもよい。従って、ＵＥが１つ以上の第１のＲＥ構成を取得できるようにするために、基地局は、１つ以上の上位レイヤのシグナリングを半静的にＵＥに対して送信してもよい。さらに、ＵＥが１つ以上の第１のＲＥ構成及び１つ以上の第２のＲＥ構成を含むＲＥ構成を取得できるようにするために、基地局及びＵＥの双方により認識されている１つ以上の第２のＲＥ構成は、事前に設定されている。その後、ＵＥが現在送信されているサブフレームにおいて、動的に、ＲＥ構成を取得できるようにするために、基地局はダイナミックシグナリングをＵＥに対して送信する。また、１つ以上のＲＥ構成は事前に定められている、つまり、基地局及びＵＥの双方により認識されており、そして追加の上位レイヤのシグナリングを用いてＵＥに対して通知されることは不要であり、これにより、シグナリングのオーバヘッドを節約する。
【０１０７】
オプションとして、他の実施例において、ステップ３１０で、基地局は、ダイナミックシグナリングであって、ＲＥ構成に対応する第１のインデックスを送信する、ダイナミックシグナリング、を送信してもよく、ここでＲＥ構成は１つ以上のＲＥ構成を含むＲＥ構成のセットに属し、かつ１つ以上のＲＥ構成及び対応するインデックスは、事前に定められてもよい。
【０１０８】
ＤＰＳにおいて、ＵＥに対して複数のデータサービスを提供するＡＰは、複数のＡＰの間で動的に変更されてもよく、かつＲＥ構成も、動的に変更されてもよい。従って、基地局は、１つ以上のＲＥ構成を含むＲＥ構成のセットを事前に設定し、その後、ＵＥに、現在送信されているサブフレームにおいて動的にＲＥ構成を取得させることを指示するために、ダイナミックシグナリングを使用してもよい。また、ＲＥ構成のセットは事前に設定されている、つまり、基地局及びＵＥの双方により認識されており、かつ追加の上位レイヤのシグナリングを用いることにより、基地局がＵＥに対して通知することは不要であり、これによりシグナリングのオーバーヘッドを節約する。
【０１０９】
オプションとして、他の実施例において、ステップ３２０で、基地局は、ＲＥ構成のセットの中の各ＲＥ構成により示されるＲＥに対してデータシンボルをマッピングしてもよく、かつＣＳＩ−ＲＳの複数の送信の要件に従って、各ＲＥ構成により示されるＲＥの中のＲＥ構成により示されるＲＥ以外のＲＥにマッピングされる複数のデータシンボルを削除してもよい。
【０１１０】
オプションとして、他の実施例において、前記上位レイヤのシグナリングは、ビットマップ符号を含み、前記ビットマップ符号の中の複数のビットは、前記ＣＳＩ−ＲＳのパイロットパターンに対応し、かつ前記ＣＳＩ−ＲＳの前記パイロットパターンのアンテナポートの数は１、２、４、又は８である。例えば、ビットマップ符号の中のビットの値が１であることは、データシンボルを対応するＲＥに対してマッピングできることを示し；或いはビットマップ符号の中のビットの値が０であることは、データシンボルを対応するＲＥに対してマッピングすることができないことを示す。
【０１１１】
オプションとして、他の実施例において、ＣＳＩ−ＲＳは、電力がゼロであるＣＳＩ−ＲＳ又はゼロでない電力のＣＳＩ−ＲＳであってもよい。
【０１１２】
オプションとして、他の実施例において、ＲＥ構成は、サイクリックオフセット又はサブフレームオフセットを含んでもよい。
【０１１３】
本発明の実施例において、ＣＳＩ−ＲＳを送信するために用いられるＲＥにおいてＵＥがデータシンボルを受信することができるようにするために、複数のデータシンボルをＣＳＩ−ＲＳを送信するために用いられるＲＥに対してマッピングすることができ、これによりＲＥの利用効率を向上させることができる。
【０１１４】
また、本発明の実施例において、ＵＥは、ＣＳＩ−ＲＳを送信するために用いられる複数のＲＥにおいて、ＣＳＩ−ＲＳ及び異なる複数のアクセスポイントを介して基地局により送信されるデータシンボルを受信し、そしてこのため、ＵＥは、受信したＣＳＩ−ＲＳに従って、異なる複数のアクセスポイント間の干渉を測定することができ、これにより、ＣＱＩの精度を改善し、かつＵＥに対するサービス品質及びシステムスループットを向上する。
【０１１５】
以下において、具体的な複数の実施例により、本発明の複数の実施例をより詳細に説明する。
【０１１６】
図４は、本発明の他の実施例に従うデータ送信方法の処理の概略フローチャートである。図４において、２つのＡＰ及び２つのＵＥが例として使用される。ＡＰ１及びＡＰ２がＣｏＭＰシステムにおける２つの協調されたＡＰであり、かつＵＥ１及びＵＥ２はＣｏＭＰシステム内にあると仮定する。例えば、図１のアプリケーションシナリオにおける、ＡＰ１、ＡＰ２、ＵＥ１及びＵＥ２が適用される。
【０１１７】
４０１．ＵＥ１及びＵＥ２は、基地局からＲＥ構成を取得し、ここでＲＥ構成により示されるＲＥは、ＣＳＩ−ＲＳを送信するために利用可能なＲＥのサブセットであり、かつその上にデータシンボルをマッピングすることができるＲＥである。
【０１１８】
ＣＳＩ−ＲＳは、ＡＰ１を介して送信されるＣＳＩ−ＲＳ１及びＡＰ２を介して送信されるＣＳＩ−ＲＳ２を含んでもよい。従って、ＣＳＩ−ＲＳを送信するための複数のＲＥは、ＣＳＩ−ＲＳ１を送信するためのＲＥ及びＣＳＩ−ＲＳ２を送信するためのＲＥを含む。ＲＥ構成は、サイクリックオフセット及びサブフレームオフセットを含んでもよい。
【０１１９】
オプションとして、ＵＥ１及びＵＥ２は、基地局により、半静的に送信される１つ以上の上位レイヤのシグナリングを受信してもよく、かつ上位レイヤのシグナリングに従って、ＲＥ構成を取得してもよい。例えば、ＲＥ構成により示されるＲＥは、ＣＳＩ−ＲＳ２を送信するためのＲＥであってもよい。
【０１２０】
ＤＰＳにおいて、ＵＥ１及びＵＥ２に対して複数のデータサービスを提供するＡＰは、ＡＰ１とＡＰ２との間で動的に変更されてもよく、そしてこのため、ＲＥ構成もまた、動的に変更されてもよい。
【０１２１】
オプションとして、ＵＥ１及びＵＥ２は、基地局により半静的に送信される１つ以上の上位レイヤのシグナリングを受信してもよく、ここで上位レイヤのシグナリングは、複数のＲＥ構成及び複数のＲＥ構成に対応するインデックスを含むＲＥ構成のセットを送信する。ＵＥ１及びＵＥ２は、ダイナミックシグナリングであって、現在送信されているサブフレームの中のＲＥ構成に対応するインデックスを送信し、かつ基地局により送信される、ダイナミックシグナリング、を受信し、かつＲＥ構成のセットからＲＥ構成を取得してもよい。
【０１２２】
オプションとして、ＵＥ１及びＵＥ２は、１つ以上の上位レイヤのシグナリングであって、１つ以上の第１のＲＥ構成及び対応するインデックスを送信し、かつ基地局により半静的に送信される、上位レイヤのシグナリング、を受信し；かつダイナミックシグナリングであって、現在送信されているサブフレームの中のＲＥ構成に対応するインデックスを送信し、かつ基地局により送信される、ダイナミックシグナリング、に従って、１つ以上の第１のＲＥ構成及び１つ以上の第２のＲＥ構成を含むＲＥ構成のセットからＲＥ構成を取得してもよい。ここで、１つ以上の第２のＲＥ構成及び対応するインデックスは、ＵＥ１及びＵＥ２により事前に定められており、かつ基地局により認識されている。このように、基地局は、上位レイヤのシグナリングを用いることなく、半静的にＵＥに通知してもよく、これにより、シグナリングのオーバヘッドを節約することができる。
【０１２３】
上位レイヤのシグナリングはビットマップ符号を含んでもよく、ここでビットマップ符号の中の複数のビットは、ＣＳＩ−ＲＳのパイロットパターンに対応し、かつＣＳＩ−ＲＳのパイロットパターンに対応するアンテナポートの数は、１、２、４、又は８である。ビットマップ符号の中のビットの値が１であることは、データシンボルを対応するＲＥに対してマッピングできることを示し；或いはビットマップ符号の中のビットの値が０であることは、データシンボルを対応するＲＥに対してマッピングすることができないことを示す。
【０１２４】
オプションとして、ＵＥ１及びＵＥ２は、ダイナミックシグナリングであって、ＲＥ構成に対応する第１のインデックスを送信し、かつ基地局により送信される、ダイナミックシグナリング、を受信し、かつ第１のインデックスに従って、１つ以上のＲＥ構成を含むＲＥ構成のセットからＲＥ構成を取得してもよい。ここで、１つ以上のＲＥ構成及び対応するインデックスは、ＵＥ１、ＵＥ２、及び基地局により事前に設定されていてもよい。従って、基地局は、上位レイヤのシグナリングを用いることなく、半静的にＵＥに通知することが可能であり、これによりシグナリングのオーバヘッドを節約する。
【０１２５】
以下において、図４は、ＲＥ構成により示されるＲＥは、ＣＳＩ−ＲＳ２を送信するために用いられ、かつその上にデータシンボルをマッピングすることのできるＲＥであることを説明のための例として用いられる。
【０１２６】
４０２．ＵＥ１及びＵＥ２は、ＡＰ１を介して、ＣＳＩ−ＲＳ２を送信するために用いられるＲＥにおいて基地局により送信される、データシンボルを受信する。
【０１２７】
ＡＰ１は、ＵＥ１及び／又はＵＥ２に対して複数のデータサービスを提供することができる。ステップ４０１において、ＲＥ構成により示されるＲＥは、ＣＳＩ−ＲＳ２を送信するために用いられ、かつその上にデータシンボルをマッピングすることの可能なＲＥである。従って、基地局は、ＡＰ１を介して、ＣＳＩ−ＲＳ２を送信するために用いられるＲＥにおいて、データシンボルをＵＥ１及びＵＥ２に送信してもよく、これによりＣＳＩ−ＲＳ２を送信するために用いられるＲＥの利用効率を向上させることができる。
【０１２８】
４０３．ＵＥ２は、ＡＰ２を介して、ＣＳＩ−ＲＳ２を送信するために使用されるＲＥにおいて基地局により送信される、ＣＳＩ−ＲＳ２を受信する。
【０１２９】
ＣＳＩ−ＲＳ２は、電力がゼロであるＣＳＩ−ＲＳ２又はゼロでない電力のＣＳＩ−ＲＳ２であってもよい。
【０１３０】
４０４．ＵＥ１及びＵＥ２は、受信されたデータシンボルについて、復調及びチャネル復号化を実行する。
【０１３１】
ＵＥ１及びＵＥ２は、復調及びチャネル復号化を受けるために、受信したデータシンボルを有用なデータシンボル又は無用なデータシンボルとして使用してもよい。オプションとして、ダイナミックシグナリングを用いることにより、基地局は、有用なデータシンボル又は無用なデータシンボルとしてデータシンボルを使用するように、ＵＥ１及びＵＥ２に指示を行ってもよい。
【０１３２】
４０５．ＣＳＩ−ＲＳ２に従って、ＵＥ２は、ＡＰ１による、ＡＰ２に対する干渉を測定する。
【０１３３】
ＵＥ２は、ＣＳＩ−ＲＳ２を送信するために用いられるＲＥにおいて、データシンボル及びＣＳＩ−ＲＳ２を受信するので、受信されたＣＳＩ−ＲＳは、ＡＰ１から送信されたデータシンボルによる干渉を受けたＣＳＩ−ＲＳ２である。ＣＳＩ−ＲＳ２の想定される受信値と干渉を受けたＣＳＩ−ＲＳ２の実際の値を比較することにより、ＡＰ１により引き起こされるＡＰ２に対する干渉を測定することができる。しかしながら、従来技術においては、ＵＥ２は、ＡＰ１により引き起こされるＡＰ２に対する干渉を測定することはできない。
【０１３４】
上記のステップのシーケンス番号は、実行の順序を意味するものではなく、そして処理を実行する順序は、それらの機能及び固有のロジックに依存すべきであり、かつ本発明の実施例の実施プロセスに対するいかなる限定も構成してはならないということが理解されるべきである。例えば、ステップ４０３をステップ４０２の前に実行してもよい。
【０１３５】
図４の例は、本発明の実施例の範囲を限定するのではなく、本発明の実施例を当業者により良く理解させることを単に意図するものである、ということが、さらに理解されるべきである。
【０１３６】
本発明の実施例において、ＣＳＩ−ＲＳを送信するために用いられるＲＥにおいて、ＵＥがデータシンボルを受信できるようにするために、ＣＳＩ−ＲＳを送信するために用いられるＲＥに対してデータシンボルをマッピングすることができ、これにより、ＲＥの利用効率を向上させることができる。
【０１３７】
また、本発明の実施例において、受信されたＣＳＩ−ＲＳに従って、ＵＥが異なるアクセスポイント間の干渉を測定できるようにするため、ＵＥは、ＣＳＩ−ＲＳを送信するために用いられる複数のＲＥにおいて、ＣＳＩ−ＲＳ及び異なる複数のアクセスポイントを介して基地局により送信されるデータシンボルを受信し、これによりＣＱＩの精度を向上し、かつユーザに対するサービスの品質及びシステムのスループットを向上することができる。
【０１３８】
図５ａ及び図５ｂは、本発明の他の実施例に従うＣＳＩ−ＲＳパイロットパターンの例を示す概略図である。２つのＡＰが存在し、各ＡＰは４つのアンテナポートを有し、かつ通常のサイクリックプレフィックス（Ｃｙｃｌｉｃ  Ｐｒｅｆｉｘ、ＣＰ）が適用されることが仮定される。そのような仮定は、説明を容易にすることのみを目的としており、かつ本発明の実施例の範囲を限定しない。本発明の実施例は、また、２つ以上のＡＰ等の、他の数のＡＰに対して適用され；かつ各ＡＰのアンテナポートの数は４に限定されず、そしてまた、８又は他の数であってもよい。また、本発明の実施例は、拡張ＣＰ（Ｅｘｔｅｎｄｅｄ  ＣＰ）に対して適用可能であり、かつ本発明の実施例は、ＣＰの形式を限定しない。
【０１３９】
図５ａは、ＡＰ１に対応するＣＳＩ−ＲＳパイロットパターンの例の概略図である。図５ｂは、ＡＰ２に対応するＣＳＩ−ＲＳパイロットパターンの例の概略図である。
【０１４０】
例えば、図１のアプリケーションシナリオにおけるＡＰ１、Ａｐ２、ＵＥ１、及びＵＥ２が適用される。図５ａ及び図５ｂにおいて、ＡＰ１はＵＥ１に対して複数のサービスを提供し、ＡＰ２はＵＥ２に対して複数のデータサービスを提供することが仮定される。
【０１４１】
ＵＥ１が、ＡＰ１を介して基地局により送信されるデータシンボルを受信する必要がある場合、ＵＥは、基地局により送信される上位レイヤのシグナリングに従って、ＲＥ構成を取得してもよい。ここで、ＲＥ構成により示されるＲＥは、ＣＳＩ−ＲＳ２を送信するために用いられ、その上にデータシンボルをマッピングすることのできるＲＥである。従って、基地局は、ＡＰ１を介して、ＣＳＩ−ＲＳ２を送信するために用いられるＲＥにおいて、ＵＥ１にデータシンボルを送信してもよく、そして、従って、ＵＥ１及びＵＥ２は、基地局により、ＡＰ１を介して、ＣＳＩ−ＲＳ２を送信するために用いられるＲＥにおいて送信されるデータシンボルを受信することができる。ＵＥ１は、復調及びチャネル復号化を受けるために、データシンボルを有用なデータシンボル又は無用なデータシンボルとして使用してもよい。また、ＵＥ２は、基地局により、ＡＰ２を介して、ＣＳＩ−ＲＳ２を送信するためのＲＥにおいて送信される、ＣＳＩ−ＲＳ２を受信してもよく、そして、従って、ＵＥ２は、データシンボル干渉を受けた受信されたＣＳＩ−ＲＳ２に従って、ＡＰ１により引き起こされるＡＰ２に対する干渉を測定することができる。
【０１４２】
本発明の実施例において、ＣＳＩ−ＲＥを送信するのに使用されるＲＥにおいてＵＥがデータシンボルを受信することができるようにするために、データシンボルを、ＣＳＩ−ＲＳを送信するために用いられるＲＥに対してマッピングすることが可能であり、これにより、ＲＥの利用効率を向上することができる。
【０１４３】
また、本発明の実施例において、受信されたＣＳＩ−ＲＳに従って、異なるアクセスポイント間の干渉をＵＥが測定することができるようにするために、ＵＥは、ＣＳＩ−ＲＳを送信するための複数のＲＥにおいて、ＣＳＩ−ＲＳ及び基地局により複数の異なるアクセスポイントを介して送信されるデータシンボルを受信し、これにより、ＣＱＩの精度を向上し、かつユーザに対するサービス品質及びシステムのスループットを向上することができる。
【０１４４】
図６ａ及び図６ｂは、本発明の他の実施例に従うＣＳＩ−ＲＳパイロットパターンの例の概略図である。２つのＡＰが存在し、各ＡＰは４つのアンテナポートを有し、通常のＣＰが適用されることが仮定される。そのような仮定は、説明を容易にすることのみを目的としており、かつ本発明の実施例の範囲を限定しない。本発明の実施例は、また、２つ以上のＡＰ等の、他の数のＡＰに対して適用され；かつ各ＡＰのアンテナポートの数は４に限定されず、そしてまた、８又は他の数であってもよい。また、本発明の実施例は、拡張ＣＰ（Ｅｘｔｅｎｄｅｄ  ＣＰ）に対して適用可能であり、かつ本発明の実施例は、ＣＰの形式を限定しない。
【０１４５】
図６ａは、ＡＰ１に対応するＣＳＩ−ＲＳパイロットパターンの例の概略図である。図６ｂは、ＡＰ２に対応するＣＳＩ−ＲＳパイロットパターンの例の概略図である。
【０１４６】
ＤＰＳにおいて、ＵＥに対して複数のデータサービスを提供するＡＰは、複数のＡＰの間で動的に変更されてもよく、かつＲＥ構成もまた、動的に変更されてもよい。従って、ＵＥは、基地局により半静的に送信される１つ以上の上位レイヤのシグナリングを用いて設定されるＲＥ構成を取得し、そしてその後基地局により送信されるダイナミックシグナリングに従って、現在送信されているサブフレームの中のＲＥ構成を動的に取得してもよい。
【０１４７】
例えば、ＵＥ１及びＵＥ２は、基地局により半静的に送信される２つの上位レイヤのシグナリングを受信してもよく、ここで、各上位レイヤのシグナリングは、ＲＥ構成及び対応するインデックスを送信し、そして、従って、ＲＥ構成のセットは、２つのＲＥ構成を含む。第１のＲＥ構成により示されるＲＥは、ＣＳＩ−ＲＳ１を送信するために用いられ、かつその上にデータシンボルをマッピングすることのできるＲＥであり、そして第２のＲＥ構成により示されるＲＥは、ＣＳＩ−ＲＳ２を送信するために用いられ、かつその上にデータシンボルをマッピングすることのできるＲＥであることが仮定される。ＵＥ１及びＵＥ２は、第１のＲＥ構成のインデックスに従って、ＲＥ構成のセットから第１のＲＥ構成を取得してもよく、ここで、インデックスは、基地局により送信されるダイナミックシグナリングにより送信される。また、ＵＥ１及びＵＥ２は、第２のＲＥ構成のインデックスに従って、ＲＥ構成のセットから第２のＲＥ構成を取得してもよく、ここで、インデックスは、基地局により送信されるダイナミックシグナリングにより送信される。
【０１４８】
例えば、図１のアプリケーションシナリオにおけるＡＰ１、ＡＰ２、ＵＥ１、及びＵＥ２が適用される。図６ａ及び図６ｂにおいて、ＡＰ１はＵＥ１に対して複数のサービスを提供し、かつＡＰ２はＵＥ２に対して複数のサービスを提供することが仮定される。
【０１４９】
ＵＥ１がＡＰ１を介して基地局により送信されるデータシンボルを受信する必要がある場合、基地局により送信されるダイナミックシグナリングに従って、ＵＥ１は、現在送信されているサブフレームの中のＲＥ構成に対応するインデックスが第２のＲＥ構成のインデックスであることを認識してもよく、そして、従って、現在のＲＥ構成により示されるＲＥは、ＣＳＩ−ＲＳ２を送信するために用いられ、かつその上にデータシンボルをマッピングすることのできるＲＥであることを認識してもよい。従って、基地局は、ＡＰ１を介して、ＣＳＩ−ＲＳ２を送信するために用いられるＲＥにおいて、データシンボルをＵＥ１に送信してもよく、そして、従って、ＵＥ１及びＵＥ２の双方は、基地局により、ＡＰ１を介して、ＣＳＩ−ＲＳ２を送信するために用いられるＲＥにおいて送信されるデータシンボルを受信することができる。ＵＥ１は、復調及びチャネル復号化を受けるために、データシンボルを有用なデータシンボル又は無用なデータシンボルとして用いてもよい。また、ＵＥ２は、基地局により、ＡＰ２を介して、ＣＳＩ−ＲＳ２を送信するために用いられるＲＥにおいて送信されるＣＳＩ−ＲＳを受信してもよく、そして、従って、ＵＥ２は、データシンボル干渉を受けた受信されたＣＳＩ−ＲＳ２に従って、ＡＰ１により引き起こされるＡＰ２に対する干渉を測定することができる。
【０１５０】
ＵＥ２がＡＰ２を介して基地局により送信されるデータシンボルを受信する必要がある場合、基地局により送信されるダイナミックシグナリングに従って、ＵＥ２は、現在送信されているサブフレームの中のＲＥ構成に対応するインデックスが第１のＲＥ構成のインデックスであることを認識してもよく、そして、従って、現在のＲＥ構成により示されるＲＥは、ＣＳＩ−ＲＳ１を送信するために用いられ、かつその上にデータシンボルをマッピングすることのできるＲＥであることを認識してもよい。従って、基地局は、ＡＰ２を介して、ＣＳＩ−ＲＳ１を送信するために用いられるＲＥにおいて、データシンボルをＵＥ２に送信してもよく、そして、従って、ＵＥ１及びＵＥ２の双方は、基地局により、ＡＰ２を介して、ＣＳＩ−ＲＳ１を送信するために用いられるＲＥにおいて送信されるデータシンボルを受信することができる。ＵＥ２は、復調及びチャネル符号化を受けるために、データシンボルを有用なデータシンボル又は無用なデータシンボルとして用いてもよい。また、ＵＥ１は、基地局により、ＡＰ１を介して、ＣＳＩ−ＲＳ１を送信するために用いられるＲＥにおいて送信されるＣＳＩ−ＲＳを受信してもよく、そして、従って、ＵＥ１は、データシンボル干渉を受けた受信されたＣＳＩ−ＲＳ１に従って、ＡＰ２により引き起こされるＡＰ１に対する干渉を測定することができる。
【０１５１】
本発明の実施例において、ＣＳＩ−ＲＳを送信するために用いられるＲＥにおいてＵＥがデータシンボルを受信することができるようにするために、データシンボルを、ＣＳＩ−ＲＳを送信するために用いられるＲＥに対してマッピングすることができ、これにより、ＲＥの利用効率を向上させることができる。
【０１５２】
また、本発明の実施例において、受信されたＣＳＩ−ＲＳに従って、ＵＥが異なるアクセスポイント間の干渉を測定できるようにするため、ＵＥは、ＣＳＩ−ＲＳを送信するために用いられる複数のＲＥにおいて、ＣＳＩ−ＲＳ及び基地局により異なる複数のアクセスポイントを介して送信されるデータシンボルを受信し、これによりＣＱＩの精度を向上し、かつユーザのサービス品質及びシステムのスループットを向上することができる。
【０１５３】
図７ａ及び図７ｂは、本発明の他の実施例に従う、ＣＳＩ−ＲＳパイロットパターンの例の概略図である。図７ａ及び図７ｂにおいて、２つのＡＰが存在し、各ＡＰは４つのアンテナポートを有し、通常のＣＰが適用されることが仮定される。そのような仮定は、説明を容易にすることのみを目的としており、かつ本発明の実施例の範囲を限定しない。本発明の実施例は、また、２つ以上のＡＰ等の、他の数のＡＰに対して適用され；かつ各ＡＰのアンテナポートの数は４に限定されず、そしてまた、８又は他の数であってもよい。また、本発明の実施例は、拡張ＣＰ（Ｅｘｔｅｎｄｅｄ  ＣＰ）に対して適用可能であり、かつ本発明の実施例は、ＣＰの形式を限定しない。
【０１５４】
図７ａは、ＡＰ１に対応するＣＳＩ−ＲＳパイロットパターンの例の概略図である。図７ｂは、ＡＰ２に対応するＣＳＩ−ＲＳパイロットパターンの例の概略図である。
【０１５５】
ＤＰＳにおいて、ＵＥに対して複数のデータサービスを提供するＡＰは、複数のＡＰの間で動的に変更されてもよく、かつＲＥ構成もまた、動的に変更されてもよい。従って、ＵＥは、基地局により半静的に送信される１つ以上の上位レイヤのシグナリングを用いて１つ以上の第１のＲＥ構成を取得してもよい。また、１つ以上の第１のＲＥ構成及び１つ以上の第２のＲＥ構成を含むＲＥ構成のセットをＵＥが取得できるようにするために、１つ以上の第２のＲＥ構成及び対応するインデックスがＵＥ及び基地局により、事前に設定されてもよい。その後、ＵＥは、基地局により送信されるダイナミックシグナリングに従って、現在送信されているサブフレームの中において、動的に、ＲＥ構成を取得する。また、１つ以上の第２のＲＥ構成は、ＵＥ及び基地局により事前に設定され、かつ追加の上位レイヤのシグナリングを用いて基地局によりＵＥに対して通知することは不要であり、これにより、シグナリングのオーバヘッドを節約することができる。
【０１５６】
例えば、ＵＥ１及びＵＥ２は、上位レイヤのシグナリングであって、基地局により半静的に送信され、かつＲＥ構成及び対応するインデックスを送信する、上位レイヤのシグナリングを受信してもよい。第１のＲＥ構成により示されるＲＥは、ＣＳＩ−ＲＳ２を送信するためのＲＥであることが仮定される。また、第２のＲＥ構成及び対応するインデックスは事前に定められ、ここで、第２のＲＥ構成により示されるＲＥは、その上にデータシンボルをマッピングすることのできないＲＥ以外の、ＣＳＩ−ＲＳ１を送信するためのＲＥ及びＣＳＩ−ＲＳ２を送信するためのＲＥである。第２のＲＥ構成は、ＵＥ１、ＵＥ２、及び基地局により認識される。
【０１５７】
例えば、図１のアプリケーションシナリオにおけるＡＰ１、ＡＰ２、ＵＥ１、及びＵＥ２が適用される。図７ａ及び図７ｂにおいて、ＡＰ１はＵＥ１に対して複数のサービスを提供し、かつＡＰ２はＵＥ２に対して複数のサービスを提供することが仮定される。
【０１５８】
ＵＥ１がＡＰ１を介して基地局により送信されるデータシンボルを受信する必要がある場合、基地局により送信されるダイナミックシグナリングに従って、ＵＥ１は、現在送信されているサブフレームの中のＲＥ構成に対応するインデックスが第１のＲＥ構成のインデックスであることを認識してもよく、そして、従って、現在のＲＥ構成により示されるＲＥは、ＣＳＩ−ＲＳ２を送信するために用いられ、かつその上にデータシンボルをマッピングすることのできるＲＥであることを認識してもよい。従って、基地局は、ＡＰ１を介して、ＣＳＩ−ＲＳ２を送信するために用いられるＲＥにおいて、データシンボルをＵＥ１に送信してもよく、そして、従って、ＵＥ１及びＵＥ２の双方は、基地局により、ＡＰ１を介して、ＣＳＩ−ＲＳ２を送信するために用いられるＲＥにおいて送信されるデータシンボルを受信することができる。ＵＥ１は、復調及びチャネル符号化を受けるために、データシンボルを有用なデータシンボル又は無用なデータシンボルとして用いてもよい。また、ＵＥ２は、基地局により、ＡＰ２を介して、ＣＳＩ−ＲＳ２を送信するために用いられるＲＥにおいて送信されるＣＳＩ−ＲＳを受信してもよく、そして、従って、ＵＥ２は、データシンボル干渉を受けた受信されたＣＳＩ−ＲＳ２に従って、ＡＰ１により引き起こされるＡＰ２に対する干渉を測定することができる。
【０１５９】
ＵＥ２がＡＰ２を介して基地局により送信されるデータシンボルを受信する必要がある場合、基地局により送信されるダイナミックシグナリングに従って、ＵＥ２は、現在送信されているサブフレームの中のＲＥ構成に対応するインデックスが第２のＲＥ構成のインデックスであることを認識してもよく、そして、従って、現在のＲＥ構成により示されるＲＥは、その上にデータシンボルをマッピングすることのできないＲＥ以外の、ＣＳＩ−ＲＳ１を送信するために用いられ、かつＣＳＩ−ＲＳ２を送信するためのＲＥであることを認識してもよい。この場合、ＵＥ１が、ＡＰ２により引き起こされるＡＰ１に対する干渉を測定することは不要であり、そして、従って、基地局は、ＡＰ２を介して、ＣＳＩ−ＲＳ１を送信するのに用いられるＲＥにおいて、及びＣＳＩ−ＲＳ２を送信するのに用いられるＲＥにおいて、データシンボルをＵＥ２に対して送信することは行わない。
【０１６０】
本発明の実施例において、ＣＳＩ−ＲＳを送信するために用いられるＲＥにおいてＵＥがデータシンボルを受信することができるようにするために、データシンボルを、ＣＳＩ−ＲＳを送信するために用いられるＲＥに対してマッピングすることができ、これにより、ＲＥの利用効率を向上させることができる。
【０１６１】
また、本発明の実施例において、受信されたＣＳＩ−ＲＳに従って、ＵＥが異なるアクセスポイント間の干渉を測定できるようにするため、ＵＥは、ＣＳＩ−ＲＳを送信するために用いられる複数のＲＥにおいて、ＣＳＩ−ＲＳ及び基地局により異なる複数のアクセスポイントを介して送信されるデータシンボルを受信し、これによりＣＱＩの精度を向上させ、かつユーザのサービス品質及びシステムのスループットを向上させることができる。
【０１６２】
図８は、本発明の実施例に従うユーザ装置のブロック図である。図８におけるユーザ装置の例は、図１のＵＥ１又はＵＥ２であってもよい。ユーザ装置８００は、取得部８１０及び受信部８２０を含む。
【０１６３】
取得部８１０は、ＲＥ構成を取得する。ここで、ＲＥ構成により示されるＲＥは、ＣＳＩ−ＲＳを送信するために利用可能なＲＥのサブセットであり、かつその上にデータシンボルをマッピングすることのできるＲＥである。受信部８２０は、ＲＥ構成に従って、ＲＥ構成により示されるＲＥにおいて基地局により送信されるデータシンボルを受信する。
【０１６４】
本発明の実施例において、ＣＳＩ−ＲＳを送信するために用いられるＲＥにおいてＵＥがデータシンボルを受信することができるようにするために、ＣＳＩ−ＲＳを送信するために用いられるＲＥに対してデータシンボルをマッピングすることができ、これによりＲＥの利用効率を向上させることができる。
【０１６５】
ユーザ装置８００の他の複数の機能及び動作について、図２、図４、図５、図６ａ、図６ｂ、図７ａ、及び図７ｂに示される複数の方法の実施例におけるＵＥに関する処理に対して、参照することができる。繰り返しを避けるために、ここではこれ以上、重複した説明は行わない。
【０１６６】
オプションとして、実施例において、ユーザ装置８００はさらに、測定部８３０を含んでもよい。受信部８２０は、基地局により、１つ以上の第１のＡＰを介して、ＲＥ構成により示される複数のＲＥにおいて送信される、データシンボルを受信することができる。受信部８２０は、さらに、基地局により、１つ以上の第２ＡＰを介して、ＲＥ構成により示される複数のＲＥにおいて送信される、ＣＳＩ−ＲＳを受信することができ、ここで、１つ以上の第１のＡＰ及び１つ以上の第２のＡＰは、ＣｏＭＰシステムにおける複数の協調されたＡＰである。測定部８３０は、ＣＳＩ−ＲＳに従って、１つ以上の第１のＡＰにより引き起こされる、１つ以上の第２のＡＰに対する干渉を測定することができる。
【０１６７】
従って、発明の実施例において、受信されたＣＳＩ−ＲＳに従って、ＵＥが異なるアクセスポイント間の干渉を測定できるようにするため、ＵＥは、ＣＳＩ−ＲＳを送信するために用いられる複数のＲＥにおいて、ＣＳＩ−ＲＳ及び基地局により異なる複数のアクセスポイントを介して送信されるデータシンボルを受信し、これによりＣＱＩの精度を向上し、かつユーザのサービス品質及びシステムのスループットを向上することができる。
【０１６８】
オプションとして、他の実施例において、取得部８１０は、上位レイヤのシグナリングであって、ＲＥ構成を送信し、かつ基地局により送信される、上位レイヤのシグナリング、を受信し、かつ上位レイヤのシグナリングに従って、ＲＥ構成を取得してもよく、或いは取得部８１０は、事前に定められているＲＥ構成を取得してもよい。
【０１６９】
オプションとして、他の実施例において、取得部８１０は、上位レイヤのシグナリングであって、複数のＲＥ構成及び対応する複数のインデックスを送信し、かつ基地局により送信される、上位レイヤのシグナリング、を受信し；ダイナミックシグナリングであって、ＲＥ構成に対応する第１のインデックスを送信し、かつ基地局により送信される、ダイナミックシグナリング、を受信し；かつ第１のインデックスに従って、複数のＲＥ構成を含むＲＥ構成のセットから、ＲＥ構成を取得してもよい。
【０１７０】
オプションとして、他の実施例において、取得部８１０は、上位レイヤのシグナリングであって、１つ以上の第１のＲＥ構成及び対応するインデックスを送信し、かつ基地局により送信される、上位レイヤのシグナリング、を受信し、ダイナミックシグナリングであって、ＲＥ構成に対応する第１のインデックスを送信し、かつ基地局により送信される、ダイナミックシグナリング、を受信し、第１のインデックスに従って、１つ以上の第１のＲＥ構成及び１つ以上の第２のＲＥ構成を含むＲＥ構成のセットからＲＥ構成を取得してもよい。ここで、１つ以上の第２のＲＥ構成及び対応するインデックスは、事前に定められている。１つ以上の第２のＲＥ構成は事前に定められている、すなわち、基地局及びＵＥの双方により認識されており、上位レイヤのシグナリングを用いて基地局によりＵＥに対して通知することは不要であり、これによりシグナリングのオーバヘッドを節約する。
【０１７１】
オプションとして、他の実施例において、取得部８１０は、ダイナミックシグナリングであって、ＲＥ構成に対応する第１のインデックスを送信し、かつ基地局により送信される、ダイナミックシグナリング、を受信し、かつ第１のインデックスに従って、１つ以上のＲＥ構成を含むＲＥ構成のセットからＲＥ構成を取得する。ここで、１つ以上のＲＥ構成及び対応するインデックスは事前に定められていてもよい。ＲＥ構成のセットは事前に定められている、つまり、基地局及びＵＥの双方により認識されており、かつ上位レイヤのシグナリングを用いて、基地局によりＵＥに対して通知することは不要であり、これによりシグナリングのオーバヘッドを節約する。
【０１７２】
オプションとして、他の実施例において、ユーザ装置８００は、データシンボルを有用なデータシンボル又は無用なデータシンボルとして用いることにより、データシンボルに対して復調及びチャネル復号化を実行する処理部８４０を含んでもよい。
【０１７３】
オプションとして、他の実施例において、処理部８４０は、基地局により送信されるダイナミックシグナリングに従って、データシンボルを有用なデータシンボル又は無用なデータシンボルとして用いることにより、データシンボルに対して、復調及びチャネル復号化を実行してもよい。ここで、ダイナミックシグナリングは、データシンボルが有用なデータシンボルであるか、又は無用なデータシンボルであるかを示すために使用される。
【０１７４】
オプションとして、他の実施例において、上位レイヤのシグナリングは、ビットマップ符号を含んでもよく、ここでビットマップ符号の複数のビットは、ＣＳＩ−ＲＳのパイロットパターンに対応し、かつＣＳＩ−ＲＳのパイロットパターンに対応するアンテナポートの数は、１、２、４、又は８である。
【０１７５】
オプションとして、他の実施例において、ＣＳＩ−ＲＳは、電力がゼロであるＣＳＩ−ＲＳ又はゼロでな電力のＣＳＩ−ＲＳであってもよい。
【０１７６】
オプションとして、他の実施例において、ＲＥ構成は、サイクリックオフセット及びサブフレームオフセットを含んでもよい。
【０１７７】
本発明の実施例において、ＣＳＩ−ＲＳを送信するために用いられるＲＥにおいてＵＥがデータシンボルを受信することができるようにするために、データシンボルを、ＣＳＩ−ＲＳを送信するために用いられるＲＥに対してマッピングすることができ、これにより、ＲＥの利用効率を向上させることができる。
【０１７８】
また、本発明の実施例において、受信されたＣＳＩ−ＲＳに従って、ＵＥが異なるアクセスポイント間の干渉を測定することができるようにするために、ＵＥは、ＣＳＩ−ＲＳを送信するために用いられる複数のＲＥにおいて、ＣＳＩ−ＲＳ及び基地局により複数のアクセスポイントを介して送信されるデータシンボルを受信し、これにより、ＣＱＩ測定の精度を向上させ、かつユーザに対するサービス品質及びシステムのスループットを向上させることができる。
【０１７９】
図９は、本発明の実施例に従う基地局のブロック図である。図９における基地局９００の例は、図１のマクロ基地局１０１であってもよい。基地局９００は、通知部９１０及び送信部９２０を含む。
【０１８０】
通知部９１０は、ＵＥに対してＲＥ構成を通知する。ここで、ＲＥ構成により示されるＲＥは、ＣＳＩ−ＲＳを送信するために利用可能なＲＥのサブセットであり、かつその上にデータシンボルをマッピングすることが可能なＲＥである。送信部９２０は、ＲＥ構成に従って、ＲＥ構成により示される複数のＲＥにおいて、複数のデータシンボルをＵＥに対して送信する。
【０１８１】
本発明の実施例において、ＣＳＩ−ＲＳを送信するために用いられるＲＥにおいてＵＥがデータシンボルを受信することができるようにするために、データシンボルを、ＣＳＩ−ＲＳを送信するために用いられるＲＥに対してマッピングすることができ、これにより、ＲＥの利用効率を向上させることができる。
【０１８２】
基地局９００の他の複数の機能及び動作について、図３、図４、図５、図６ａ、図６ｂ、図７ａ、及び図７ｂに示される複数の方法の実施例における基地局に関する処理に対して、参照することができる。繰り返しを避けるために、ここではこれ以上、重複した説明は行わない。
【０１８３】
オプションとして、実施例において、送信部９１０は、１つ以上の第１のＡＰを介して、ＲＥ構成により示される複数のＲＥにおいて、複数のデータシンボルをＵＥに対して送信してもよい。送信部９１０は、さらに、１つ以上の第２のＡＰを介して、ＲＥ構成により示される複数のＲＥにおいて、ＣＳＩ−ＲＳをＵＥに対して送信してもよい。ここで、１つ以上の第１のＡＰ及び１つ以上の第２のＡＰは、ＣｏＭＰシステムにおける複数の協調されたＡＰである。このように、ＵＥは、ＣＳＩ−ＲＳに従って、１つ以上の第１のＡＰにより引き起こされる、１つ以上の第２のＡＰに対する干渉を測定することができる。
【０１８４】
従って、本発明の実施例において、受信されたＣＳＩ−ＲＳに従って、ＵＥが異なるアクセスポイント間の干渉を測定できるようにするため、ＵＥは、ＣＳＩ−ＲＳを送信するために用いられる複数のＲＥにおいて、ＣＳＩ−ＲＳ及び基地局により異なる複数のアクセスポイントを介して送信されるデータシンボルを受信し、これによりＣＱＩの精度を向上させ、かつユーザのサービス品質及びシステムのスループットを向上させることができる。
【０１８５】
オプションとして、他の実施例において、通知部９１０は、上位レイヤのシグナリングであって、ＲＥ構成を送信する、上位レイヤのシグナリングをＵＥに対して送信してもよい。
【０１８６】
オプションとして、他の実施例において、通知部９１０は、上位レイヤのシグナリングであって、複数のＲＥ構成及び対応する複数のインデックスを送信する、上位レイヤのシグナリング、をＵＥに対して送信してもよく、かつダイナミックシグナリングであって、ＲＥ構成に対応する第１のインデックスを送信する、ダイナミックシグナリング、をＵＥに対して送信してもよく、ここで、ＲＥ構成は、複数のＲＥ構成を含むＲＥ構成のセットに属する。
【０１８７】
オプションとして、他の実施例において、通知部９１０は、上位レイヤのシグナリングであって、１つ以上の第１のＲＥ構成及び対応するインデックスを送信する、上位レイヤのシグナリング、をＵＥに送信してもよく、かつダイナミックシグナリングであって、ＲＥ構成に対応する第１のインデックスをＵＥに送信する、ダイナミックシグナリング、をＵＥに送信してもよく、ＲＥ構成は、１つ以上の第１のＲＥ構成及び１つ以上の第２のＲＥ構成を含む、ＲＥ構成のセットに属し、１つ以上の第２のＲＥ構成及び対応するインデックスは、事前に設定されている。１つ以上の第２のＲＥ構成は事前に設定されている、つまり、基地局及びＵＥの双方により認識されており、かつ上位レイヤのシグナリングを用いて基地局によりＵＥに通知することは不要であり、これにより、シグナリングのオーバヘッドを節約することができる。
【０１８８】
オプションとして、他の実施例において、通知部９１０は、ダイナミックシグナリングであって、ＲＥ構成に対応する第１のインデックスを送信する、ダイナミックシグナリング、を送信してもよく、ここでＲＥ構成は１つ以上のＲＥ構成を含むＲＥ構成のセットに属し、かつ１つ以上のＲＥ構成及び対応するインデックスは、事前に定められてもよい。ＲＥ構成のセットは事前に定められている、つまり、基地局及びＵＥの双方により認識されており、かつ上位レイヤのシグナリングを用いて基地局によりＵＥに通知することは不要であり、これにより、シグナリングのオーバーヘッドを節約することができる。
【０１８９】
オプションとして、他の実施例において、送信部９２０は、ＲＥ構成のセットの中の各ＲＥ構成により示されるＲＥに対してデータシンボルをマッピングしてもよく、かつＣＳＩ−ＲＳの複数の送信の要件に従って、各ＲＥ構成により示されるＲＥの中のＲＥ構成により示されるＲＥ以外のＲＥにマッピングされる複数のデータシンボルを削除してもよい。
【０１９０】
オプションとして、他の実施例において、前記上位レイヤのシグナリングは、ビットマップ符号を含み、前記ビットマップ符号の中の複数のビットは、前記ＣＳＩ−ＲＳのパイロットパターンに対応し、かつ前記ＣＳＩ−ＲＳの前記パイロットパターンのアンテナポートの数は１、２、４、又は８である。
【０１９１】
オプションとして、他の実施例において、ＣＳＩ−ＲＳは、電力がゼロであるＣＳＩ−ＲＳ又はゼロでない電力のＣＳＩ−ＲＳであってもよい。
【０１９２】
オプションとして、他の実施例において、ＲＥ構成は、サイクリックオフセット又はサブフレームオフセットを含んでもよい。
【０１９３】
本発明の実施例において、ＣＳＩ−ＲＳを送信するために用いられるＲＥにおいてＵＥがデータシンボルを受信することができるようにするために、複数のデータシンボルをＣＳＩ−ＲＳを送信するために用いられるＲＥに対してマッピングすることができ、これによりＲＥの利用効率を向上させることができる。
【０１９４】
また、本発明の実施例において、受信されたＣＳＩ−ＲＳに従って、ＵＥが異なるアクセスポイント間の干渉を測定できるようにするため、ＵＥは、ＣＳＩ−ＲＳを送信するために用いられる複数のＲＥにおいて、ＣＳＩ−ＲＳ及び基地局により異なる複数のアクセスポイントを介して送信されるデータシンボルを受信し、これによりＣＱＩの精度を向上させ、かつユーザのサービス品質及びシステムのスループットを向上させることができる。
【０１９５】
本発明の実施例に従う通信システムは、ユーザ装置８００又は基地局９００を含んでもよい。
【０１９６】
当業者は、本明細書に開示される複数の実施例において説明される複数の例に関して、ユニット及びアルゴリズムステップは、子ハードウェア、又はコンピュータソフトウェア及び電子ハードウェアの組合せによって、実施されてもよいことを認識し得る。機能がハードウェアによって実行されるか又はソフトウェアによって実行されるかは、特定のアプリケーション又は技術的解決手段の設計制約条件に依存する。当業者は、各特定のアプリケーションについて、記載した機能を実施する異なる方法を使用し得るが、そのような実施は、本発明の範囲を超えると考えられるべきではない。
【０１９７】
説明の都合及び簡潔性を目的として、前述のシステム、装置及びユニットの詳細な動作プロセスに関して、前述の方法の実施例における対応する処理を参照することが可能であり、重複した説明はここではこれ以上与えられない、ということが当業者によって、明確に理解され得る。
【０１９８】
本願において提供される諸実施例において、開示されたシステム、装置及び方法は、他の方法で実現されてもよいということを理解すべきである。例えば、説明した装置の実施例は、単なる例示である。例えば、ユニットの分割は、単なる論理的機能の分割であり、そして実際の実装においては、他の分割であってもよい。例えば、複数のユニット又は構成要素は、組み合わされてもよく、或いは他のシステムに統合されてもよく、又はいくつかの機能は無視されるか、又は実行されなくてもよい。また、表示された又は考察された相互結合又は直接結合又は通信接続は、いくつかのインターフェースを介して実装されてもよい。装置又はユニット間の間接的な結合又は通信接続は、電子的、機械的、又はその他の形態で実施されてもよい。
【０１９９】
別個の部品として説明される複数のユニットは、物理的に分離されていてもよく、又は分離されていなくてもよく、かつユニットとして表示されるブク数の部品は、物理的な複数の部品であってもよく、物理的な複数の部品でなくてもよく、１つの位置に配置されてもよく、又は複数のネットワークユニットに分散されてもよいということである。実施例の解決手段の目的を達成するために必要に応じて、複数のユニットの一部又は全てを選択することができる。
【０２００】
また、本発明の実施例における機能ユニットは、１つの処理ユニットに統合されてもよく、又は各ユニットは物理的に単独で存在してもよく、又は２つ以上のユニットが１つのユニットに統合されてもよい。
【０２０１】
機能がソフトウェア機能部の形で実装され、独立した製品として販売又は使用される場合、機能は、コンピュータ可読記憶媒体に記憶されてもよい。そのような理解に基づいて、本発明の技術的解決手段は、本質的に、又は従来技術に寄与する部分、又は技術的解決手段の一部は、ソフトウェア製品の形態で実施されてもよい。コンピュータソフトウェア製品は、記憶媒体に記憶され、かつ本発明の実施例において記載される方法の全て又は一部のステップを実行するコンピュータ（パーソナルコンピュータ、サーバ、又はネットワーク装置であってもよい）に命令するための、いくつかの命令を含む。上記記憶媒体は、ＵＳＢフラッシュドライブ、リムーバブルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクといった、プログラムコードを記憶可能な任意の媒体を含む。
【０２０２】
前述の説明は、単に本発明の特定の複数の実施例であり、本発明ほ保護範囲を限定することは意図されていない。本発明において開示される技術範囲内において、当業者により容易に考え出される如何なる変形又は置換も、本発明の保護範囲に属するものとしなければならない。従って、本発明ほ保護範囲は、特許請求の範囲の保護範囲に従わなければならない。
【図１】
0005981568.tif 000002
【図２】
0005981568.tif 000003
【図３】
0005981568.tif 000004
【図４】
0005981568.tif 000005
【図８】
0005981568.tif 000006
【図９】
0005981568.tif 000007
【図５ａ】
0005981568.tif 000008
【図５ｂ】
0005981568.tif 000009
【図６ａ】
0005981568.tif 000010
【図６ｂ】
0005981568.tif 000011
【図７ａ】
0005981568.tif 000012
【図７ｂ】
0005981568.tif 000013